(57)【要約】【課題】コストの増大および大型化を抑制しつつ、紙幣の表裏および天地を取り揃えることが容易に可能となる紙幣処理機の提供。【解決手段】紙幣を繰り出し可能に収納する収納部４５〜４７と、収納部４５〜４７から繰り出された紙幣を識別する識別部３５と、識別部３５の識別結果に基づいて紙幣の表裏を取り揃える表裏取揃部５８と、表裏取揃部５８で表裏が取り揃えられた紙幣を識別部３５の識別結果に基づいて天地が一方向を向く紙幣と天地が前記一方向とは逆の逆方向を向く紙幣とに振り分ける振分手段５５Ｎと、振分手段５５Ｎで振り分けられた紙幣を払い出す払出口２１，３１と、を有する。【選択図】図７
2015041133.tif 000002
【特許請求の範囲】
【請求項１】
紙幣を繰り出し可能に収納する収納部と、
前記収納部から繰り出された紙幣を識別する識別部と、
前記識別部の識別結果に基づいて紙幣の表裏を取り揃える表裏取揃部と、
前記表裏取揃部で表裏が取り揃えられた紙幣を前記識別部の識別結果に基づいて天地が一方向を向く紙幣と天地が前記一方向とは逆の逆方向を向く紙幣とに振り分ける振分手段と、
前記振分手段で振り分けられた紙幣を払い出す払出口と、
を有することを特徴とする紙幣処理機。
【請求項２】
前記払出口は、
天地が前記一方向を向く紙幣を払い出す第１払出口と、
天地が前記逆方向を向く紙幣を払い出す第２払出口と、
を有することを特徴とする請求項１記載の紙幣処理機。
【請求項３】
前記第１払出口および前記第２払出口のうちの一方は、外部から紙幣が投入され、投入された紙幣を内部に繰り出し可能な入出金口であり、
前記第１払出口および前記第２払出口のうちの他方は、前記入出金口から内部に繰り出された紙幣のうち受け入れ不可な紙幣を払い出す入金リジェクト口であることを特徴とする請求項２記載の紙幣処理機。
【請求項４】
前記収納部に収納されている紙幣についての表裏方向および天地方向を記憶する記憶手段と、
前記記憶手段の記憶内容に基づいて、一の払い出し処理で前記収納部から払い出されるべき紙幣の前記表裏取揃部での表裏取り揃え後の天地方向別の枚数を割り出す割出手段と、を有しており、
前記振分手段は、前記割出手段の割り出し結果から、枚数が多い一の天地方向の紙幣を前記第１払出口および前記第２払出口のうちの容量が多い一方に、枚数が少ない他の天地方向の紙幣を前記第１払出口および前記第２払出口のうちの容量が少ない他方に、振り分けることを特徴とする請求項２または３記載の紙幣処理機。
【請求項５】
前記第１払出口および前記第２払出口は、払い出す紙幣の天地の方向が予め設定されていることを特徴とする請求項２または３記載の紙幣処理機。
【請求項６】
前記収納部が金種別に複数設けられており、
一の払い出し処理で払い出される紙幣が複数金種ある場合に、一の金種の収納部から当該一の金種の払い出し枚数の紙幣を前記第１払出口および前記第２払出口に振り分けて払い出した後、前記一の金種の紙幣の上に重ねるように、他の金種の収納部から当該他の金種の払い出し枚数の紙幣を前記第１払出口および前記第２払出口に振り分けて払い出すことを特徴とする請求項２乃至５のいずれか一項記載の紙幣処理機。
【請求項７】
前記収納部が金種別に複数設けられており、
前記第１払出口および前記第２払出口の紙幣の有無を検知する紙幣検知手段が設けられていて、
一の払い出し処理で払い出される紙幣が複数金種ある場合に、一の金種の収納部から当該一の金種の払い出し枚数の紙幣を前記第１払出口および前記第２払出口に振り分けて払い出した後、前記紙幣検知手段が前記第１払出口の紙幣なしおよび前記第２払出口の紙幣なしを検知すると、他の金種の収納部から当該他の金種の払い出し枚数の紙幣を前記第１払出口および前記第２払出口に振り分けて払い出すことを特徴とする請求項２乃至５のいずれか一項記載の紙幣処理機。
【請求項８】
前記第１払出口および前記第２払出口の両方に紙幣を払い出す場合に、その旨を報知する報知手段を有することを特徴とする請求項２乃至７のいずれか一項記載の紙幣処理機。
【請求項９】
前記第１払出口の紙幣の有無を検知する第１紙幣検知手段および前記第２払出口の紙幣の有無を検知する第２紙幣検知手段が設けられており、
前記第１払出口および前記第２払出口に紙幣を払い出した後に、前記第１紙幣検知手段および前記第２紙幣検知手段のうちの少なくともいずれか一方が紙幣ありを検知している状態で所定時間経過すると紙幣の取り忘れを警告する警告手段を有することを特徴とする請求項２乃至８のいずれか一項記載の紙幣処理機。
【発明の詳細な説明】
【技術分野】
【０００１】
本発明は、紙幣の表裏を取り揃えて払い出し可能な紙幣処理機に関するものである。
【背景技術】
【０００２】
紙幣処理機としての紙幣入出金機において、表裏取揃部を備えることで紙幣の表裏を取り揃えて出金するものがある（例えば、特許文献１参照）。通常の表裏取揃部は、表裏反転の必要がない紙幣はメインの搬送路でそのまま取引口側に搬送する。また、表裏反転の必要がある紙幣については、これをメインの搬送路から分岐した搬送路に一旦退避させ、この搬送路で搬送の前後を反転させながらメインの搬送路の取引口側への流れに再び合流させることで表裏を反転させるようになっている。このため、表裏が反転する紙幣は、表裏とともに天地も反転することになる。
【０００３】
また、上記に加えて、天地はそのままで表裏のみを反転させる機構を設けることで、表裏に加えて天地も取り揃えて紙幣を払い出すことができる装置がある（例えば、特許文献２参照）。
【０００４】
さらに、入金時に紙幣を天地方向に応じて異なる金種別収納庫に取り込み、出金時には、一方の金種別収納庫から表裏を取り揃えて紙幣を払い出すことで、表裏と天地とを取り揃えて払い出す紙幣入出金機がある（例えば、特許文献３参照）。
【先行技術文献】
【特許文献】
【０００５】
【特許文献１】特開２０１３−８８８５８号公報
【特許文献２】特開平６−１２４３７９号公報
【特許文献３】特開平９−８１８２９号公報
【発明の概要】
【発明が解決しようとする課題】
【０００６】
顧客サービス向上等の観点から、特許文献１に記載されたもののように払い出す紙幣の表裏のみを取り揃えるだけでは十分ではなく、特許文献２，３に記載されたもののように、表裏に加えて天地も取り揃えて紙幣を払い出すことが望ましい。しかしながら、表裏に加えて天地も取り揃えて紙幣を払い出す場合、構造が複雑化してコスト高になったり、大型化してしまう等の課題がある。
【０００７】
したがって、本発明は、コストの増大および大型化を抑制しつつ、紙幣の表裏および天地を取り揃えることが容易に可能となる紙幣処理機の提供を目的とする。
【課題を解決するための手段】
【０００８】
上記目的を達成するために、請求項１に係る発明は、紙幣を繰り出し可能に収納する収納部と、前記収納部から繰り出された紙幣を識別する識別部と、前記識別部の識別結果に基づいて紙幣の表裏を取り揃える表裏取揃部と、前記表裏取揃部で表裏が取り揃えられた紙幣を前記識別部の識別結果に基づいて天地が一方向を向く紙幣と天地が前記一方向とは逆の逆方向を向く紙幣とに振り分ける振分手段と、前記振分手段で振り分けられた紙幣を払い出す払出口と、を有することを特徴とする。
【０００９】
請求項２に係る発明は、請求項１に係る発明において、前記払出口は、天地が前記一方向を向く紙幣を払い出す第１払出口と、天地が前記逆方向を向く紙幣を払い出す第２払出口と、を有することを特徴とする。
【００１０】
請求項３に係る発明は、請求項２に係る発明において、前記第１払出口および前記第２払出口のうちの一方は、外部から紙幣が投入され、投入された紙幣を内部に繰り出し可能な入出金口であり、前記第１払出口および前記第２払出口のうちの他方は、前記入出金口から内部に繰り出された紙幣のうち受け入れ不可な紙幣を払い出す入金リジェクト口であることを特徴とする。
【００１１】
請求項４に係る発明は、請求項２または３に係る発明において、前記収納部に収納されている紙幣についての表裏方向および天地方向を記憶する記憶手段と、前記記憶手段の記憶内容に基づいて、一の払い出し処理で前記収納部から払い出されるべき紙幣の前記表裏取揃部での表裏取り揃え後の天地方向別の枚数を割り出す割出手段と、を有しており、前記振分手段は、前記割出手段の割り出し結果から、枚数が多い一の天地方向の紙幣を前記第１払出口および前記第２払出口のうちの容量が多い一方に、枚数が少ない他の天地方向の紙幣を前記第１払出口および前記第２払出口のうちの容量が少ない他方に、振り分けることを特徴とする。
【００１２】
請求項５に係る発明は、請求項２または３に係る発明において、前記第１払出口および前記第２払出口は、払い出す紙幣の天地の方向が予め設定されていることを特徴とする。
【００１３】
請求項６に係る発明は、請求項２乃至５のいずれか一項に係る発明において、前記収納部が金種別に複数設けられており、一の払い出し処理で払い出される紙幣が複数金種ある場合に、一の金種の収納部から当該一の金種の払い出し枚数の紙幣を前記第１払出口および前記第２払出口に振り分けて払い出した後、前記一の金種の紙幣の上に重ねるように、他の金種の収納部から当該他の金種の払い出し枚数の紙幣を前記第１払出口および前記第２払出口に振り分けて払い出すことを特徴とする。
【００１４】
請求項７に係る発明は、請求項２乃至５のいずれか一項に係る発明において、前記収納部が金種別に複数設けられており、前記第１払出口および前記第２払出口の紙幣の有無を検知する紙幣検知手段が設けられていて、一の払い出し処理で払い出される紙幣が複数金種ある場合に、一の金種の収納部から当該一の金種の払い出し枚数の紙幣を前記第１払出口および前記第２払出口に振り分けて払い出した後、前記紙幣検知手段が前記第１払出口の紙幣なしおよび前記第２払出口の紙幣なしを検知すると、他の金種の収納部から当該他の金種の払い出し枚数の紙幣を前記第１払出口および前記第２払出口に振り分けて払い出すことを特徴とする。
【００１５】
請求項８に係る発明は、請求項２乃至７のいずれか一項に係る発明において、前記第１払出口および前記第２払出口の両方に紙幣を払い出す場合に、その旨を報知する報知手段を有することを特徴とする。
【００１６】
請求項９に係る発明は、請求項２乃至８のいずれか一項に係る発明において、前記第１払出口の紙幣の有無を検知する第１紙幣検知手段および前記第２払出口の紙幣の有無を検知する第２紙幣検知手段が設けられており、前記第１払出口および前記第２払出口に紙幣を払い出した後に、前記第１紙幣検知手段および前記第２紙幣検知手段のうちの少なくともいずれか一方が紙幣ありを検知している状態で所定時間経過すると紙幣の取り忘れを警告する警告手段を有することを特徴とする。
【発明の効果】
【００１７】
請求項１に係る発明によれば、収納部から繰り出された紙幣を識別部で識別し、この識別結果に基づいて表裏取揃部が紙幣の表裏を取り揃えることになる。そして、表裏が取り揃えられた紙幣を、振分手段が、識別部の識別結果に基づいて天地が一方向を向く紙幣と天地がこれとは逆の逆方向を向く紙幣とに振り分ける。よって、表裏が取り揃えられて天地が前記一方向を向く紙幣と、表裏が取り揃えられて天地が前記逆方向を向く紙幣とを分けて払い出すことが可能となる。これにより、操作者は、天地が前記一方向を向く紙幣を取り出し、天地が前記逆方向を向く紙幣を取り出して、これらの天地を揃えるという容易な作業で、払い出された全ての紙幣の表裏および天地を取り揃えることができる。しかも、表裏取揃部で表裏を取り揃えた後の紙幣を、振分手段によって天地が前記一方向を向く紙幣と天地が前記逆方向を向く紙幣とに振り分けるようにすれば良いことから、コストの増大および大型化を抑制することが可能となる。
【００１８】
請求項２に係る発明によれば、表裏取揃部で表裏が取り揃えられた紙幣について、振分手段が、識別部の識別結果に基づいて天地が前記一方向を向く紙幣を第１払出口に、天地が前記逆方向を向く紙幣を第２払出口に振り分ける。よって、表裏が取り揃えられて天地が前記一方向を向く紙幣を第１払出口に、表裏が取り揃えられて天地が前記逆方向を向く紙幣を第２払出口に分けて払い出すことができる。したがって、一つの払出口に払い出す場合のように、天地が前記一方向を向く紙幣と天地が前記逆方向を向く紙幣とを時間差を設けて払い出す必要がなくなる。したがって、払い出しに時間差を設けるための機構が不要となり、コストの増大および大型化をさらに抑制できる。
【００１９】
請求項３に係る発明によれば、第１払出口および第２払出口のうちの一方が入出金口であり、第１払出口および第２払出口のうちの他方が入金リジェクト口であるため、入出金可能な紙幣処理機においては、第１払出口および第２払出口がいずれも天地取り揃えのためだけの専用部分にならずに済む。したがって、入出金可能な紙幣処理機において、コストの増大および大型化を抑制することが可能となる。
【００２０】
請求項４に係る発明によれば、記憶手段の記憶内容に基づいて、割出手段が、一の払い出し処理で収納部から払い出されるべき紙幣の表裏取揃部での表裏取り揃え後の天地方向別の枚数を割り出すと、この割り出し結果から、振分手段が、枚数が多い一の天地方向の紙幣を第１払出口および第２払出口のうちの容量が多い一方に、枚数が少ない他の天地方向の紙幣を第１払出口および第２払出口のうちの容量が少ない他方に、振り分けることになる。よって、第１払出口および第２払出口のうち、満杯になり易い容量が少ないものが満杯になることを抑制でき、効率の良い払い出しが可能となる。
【００２１】
請求項５に係る発明によれば、第１払出口および第２払出口は、払い出す紙幣の天地の方向が予め設定されているため、天地の方向を目視確認しなくても紙幣の表裏および天地を取り揃えることが容易にできることになり、手作業による取り揃えの作業性を向上させることができる。
【００２２】
請求項６に係る発明によれば、一の払い出し処理で払い出される紙幣が複数金種ある場合に、一の金種の収納部から当該一の金種の払い出し枚数の紙幣を第１払出口および第２払出口に振り分けて払い出した後、一の金種の紙幣の上に重ねるように、他の金種の収納部から当該他の金種の払い出し枚数の紙幣を第１払出口および第２払出口に振り分けて払い出すことになる。これにより、第１払出口および第２払出口のそれぞれに複数金種が金種毎に纏められた状態で払い出されることになる。よって、操作者は、第１払出口および第２払出口から取り出した紙幣をそれぞれ容易に金種別に分けることができ、このように金種別に分けた紙幣の天地を金種別に取り揃えることになる。したがって、複数金種払い出す場合であっても、操作者は、紙幣を比較的容易に金種別に分けて表裏および天地を取り揃えることができる。
【００２３】
請求項７に係る発明によれば、一の払い出し処理で払い出される紙幣が複数金種ある場合に、一の金種の収納部から当該一の金種の払い出し枚数の紙幣を第１払出口および第２払出口に振り分けて払い出した後、紙幣検知手段が第１払出口の紙幣なしおよび第２払出口の紙幣なしを検知すると、他の金種の収納部から当該他の金種の払い出し枚数の紙幣を第１払出口および第２払出口に振り分けて払い出すことになる。よって、操作者は、第１払出口および第２払出口から一の金種の紙幣を取り出して天地を取り揃えた後に、第１払出口および第２払出口から他の金種の紙幣を取り出して天地を取り揃えるというように、金種毎に区切って表裏および天地を取り揃えることができる。したがって、複数金種払い出す場合であっても、操作者は、さらに容易に紙幣を金種別に分けて表裏および天地を取り揃えることができる。
【００２４】
請求項８に係る発明によれば、第１払出口および第２払出口の両方に紙幣を払い出す場合に、報知手段がその旨を報知するため、操作者による紙幣の取り忘れを抑制することができる。
【００２５】
請求項９に係る発明によれば、第１払出口および第２払出口に紙幣を払い出した後に、第１紙幣検知手段および第２紙幣検知手段のうちの少なくともいずれか一方が紙幣ありを検知している状態で所定時間経過すると警告手段が紙幣の取り忘れを警告するため、操作者による紙幣の取り忘れを防止することができる。
【図面の簡単な説明】
【００２６】
【図１】本発明の一実施形態に係る紙幣処理機を含む出納機を示す斜視図である。
【図２】本発明の一実施形態に係る紙幣処理機を概略的に示す側断面図である。
【図３】同側断面図であって、入金処理のルートを太線で示すものである。
【図４】同側断面図であって、収納処理の収納作動と、収納処理および自己精査処理の一時貯留部出収納作動のルートを太線で示すものである。
【図５】同側断面図であって、収納処理および自己精査処理の入出金口出収納作動のルートを太線で示すものである。
【図６】同側断面図であって、返却処理のルートを太線で示すものである。
【図７】同側断面図であって、バラ紙幣出金処理の出金作動のルートを太線で示すものである。
【図８】同側断面図であって、バラ紙幣出金処理および束出金処理の一時貯留部出収納作動のルートを太線で示すものである。
【図９】同側断面図であって、バラ紙幣出金処理および束出金処理の入出金口出収納作動のルートを太線で示すものである。
【図１０】同側断面図であって、束出金処理の出金作動のルートを太線で示すものである。
【図１１】同側断面図であって、自己精査処理の精査作動の往路ルートを太線で示すものである。
【図１２】同側断面図であって、自己精査処理の精査作動の復路ルートを太線で示すものである。
【図１３】同側断面図であって、ローカル整理処理の往路ルートを太線で示すものである。
【図１４】同側断面図であって、ローカル整理処理の復路ルートを太線で示すものである。
【発明を実施するための形態】
【００２７】
本発明の一実施形態に係る紙幣処理機を図面を参照して以下に説明する。図１は、紙幣および硬貨等を取り扱う出納機を示している。この出納機は、銀行等の金融機関の店舗に設置されて店舗全体の貨幣処理を管理するものである。出納機は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。
【００２８】
出納機は、紙幣についての入出金処理等を行う紙幣入出金機である本実施形態の紙幣処理機１１と、紙幣の特に新券についての出金処理等を行う新券処理機１２と、硬貨についての入出金処理等を行う硬貨処理機１３とが左右に並設されて構成されている。出納機は、硬貨処理機１３の上部に、操作者によって操作入力がなされる操作部１４と、操作者に対して画面表示を行う表示部１５と、操作者に対して音声出力を行う音声出力部（警告手段）１６と、が設けられている。
【００２９】
次に、本実施形態に係る紙幣処理機１１の全体構成を図１および図２を参照して説明する。以下の説明における前後左右は、操作者側を前、操作者とは反対側を後、操作者から見て左右を左右とする。
【００３０】
図１に示すように、紙幣処理機１１には、その前面側の上部に、機外からバラ紙幣が投入されるとともに機内から出金用のバラ紙幣が繰り出される入出金口２１（払出口，第１払出口および第２払出口のうちの容量が多い一方）が設けられている。入出金口２１は、外部から紙幣が投入され、投入された紙幣を内部に繰り出し可能であるとともに、内部から紙幣が繰り出され、繰り出された紙幣を外部に取り出し可能に払い出すものである。
【００３１】
図２に示すように、入出金口２１は、その底部を構成する載置板２２が後下がりに傾斜した姿勢で昇降可能に設けられており、その奥側の支承面２３が載置板２２と直交するように後上がりに傾斜して設けられている。入出金口２１には、機外から、長辺方向および短辺方向をそれぞれ揃え表裏方向に集積されるとともに長辺方向を左右方向に沿わせた状態で紙幣が投入されることになる。このように投入された紙幣が、載置板２２上に載置されるとともに、載置板２２の傾斜により後端縁が支承面２３に当接する。また、入出金口２１には、機内から紙幣が長辺方向を左右方向に沿わせた姿勢で載置板２２上に集積されるとともに、載置板２２の傾斜により後端縁が支承面２３に当接する。
【００３２】
入出金口２１には、紙幣の集積スペースに対し機外からのアクセスを許容および規制する開閉可能なシャッタ２４と、入出金口２１の紙幣の有無を検知する紙幣有無検知センサ２１ａ（紙幣検知手段）とが設けられている。シャッタ２４は、閉じた状態が待機状態であり、機外から、入出金口２１に紙幣が投入される際に開かれ、また、機内からの紙幣を入出金口２１が機外に払い出す際に開かれる。シャッタ２４の側方には、入出金口２１からの紙幣の払い出し時に点滅する図１に示す入出金口用ランプ２５（報知手段）が設けられている。
【００３３】
図２に示すように、入出金口２１の上部の後側には、機外から載置板２２上に集積状態で投入されたバラ紙幣を上端のものから一枚ずつ分離し所定の間隔をあけて機内へ繰り出すとともに機内からの紙幣を入出金口２１に繰り出す繰出部２１ｂが設けられている。繰出部２１ｂは、常にシャッタ２４が閉じられた状態で作動するようになっている。繰出部２１ｂによって機内から入出金口２１に繰り出された紙幣は、支承面２３で取り揃えられながら載置板２２上に集積されることになる。載置板２２上に集積された紙幣は、シャッタ２４が開かれた状態で機外へ取り出し可能となり、シャッタ２４が閉じられた状態で繰出部２１ｂによって再び機内に繰り出すことが可能となっている。なお、紙幣処理機１１内では、紙幣が、常に長辺方向を左右方向に沿わせた姿勢で搬送されることになる。
【００３４】
入出金口２１の下側には、紙幣処理機１１の前面位置に入金リジェクト口３１（払出口，第１払出口および第２払出口のうちの容量が少ない他方）が設けられている。入金リジェクト口３１は、入出金口２１から内部に繰り出された紙幣のうち受け入れ不可と判定された入金リジェクト紙幣が、機内から繰り出されるものであり、このような入金リジェクト紙幣を外部に取り出し可能に払い出す。入金リジェクト口３１には、紙幣の集積スペースに対し機外からのアクセスを許容および規制する開閉可能なシャッタ３２と、入金リジェクト口３１の紙幣の有無を検知する紙幣有無検知センサ３１ａ（紙幣検知手段）とが設けられている。シャッタ３２の側方には、入金リジェクト口３１からの紙幣の払い出し時に点滅する図１に示すリジェクト口用ランプ３３（報知手段）が設けられている。シャッタ３２は、閉じた状態が待機状態となっている。入金リジェクト口３１の収容可能な紙幣の容量は、入出金口２１の収容可能な紙幣の容量よりも少なくなっている。
【００３５】
図２に示すように、紙幣処理機１１の後部には、繰出部２１ｂによって入出金口２１から一枚ずつ分離して機内に繰り出される紙幣を識別する識別部３５が設けられている。また、入出金口２１の後方には紙幣を整列させながら水平姿勢で鉛直方向に所定の結束枚数集積させる整列部３６が設けられており、この整列部３６の後方には、整列部３６から集積紙幣を水平状態のまま後方に引き出し鉛直上方に上昇搬送する移送部３７が設けられている。
【００３６】
整列部３６の上方には、移送部３７で上昇搬送され上部位置から水平状態のまま前方に送り出された集積紙幣を結束テープで結束して小束紙幣とする結束部３９が設けられている。この結束部３９は、移送部３７から前方に送り出された集積紙幣を上下から挟持しつつ、結束テープを周囲に巻き回して接着・切断することにより小束紙幣を作成する。
【００３７】
結束部３９の前方には、結束部３９で結束された後、水平状態のまま前方に送り出された小束紙幣を鉛直状に姿勢変更し前後方向に複数束集積して、機外に取り出し可能とする束出金部４１が設けられている。束出金部４１には、小束紙幣の集積スペースに対し機外からのアクセスを許容および規制する開閉可能なシャッタ４２と、束出金部４１の小束紙幣の有無を検知する小束紙幣有無検知センサ４１ａとが設けられている。シャッタ４２の側方には、束出金部４１からの小束紙幣の払い出し時に点滅する図１に示す束出金部用ランプ４３が設けられている。
【００３８】
図２に示すように、紙幣処理機１１の下部には、奥側から順に、例えば入金された入金確定後のバラ紙幣を上下に集積させた状態で繰り出し可能に収納する紙幣庫４５（収納部）と、同様の紙幣庫４６（収納部）と、同様の紙幣庫４７（収納部）と、同様の紙幣庫４８と、例えば入金された入金確定前のバラ紙幣を上下に集積させた状態で繰り出し可能に一時貯留する紙幣庫４９とが、上下左右の位置を合わせて前後方向に配列されている。
【００３９】
紙幣庫４５は所定の単一の金種（例えば千円券）のバラ紙幣を、紙幣庫４６は所定の単一の金種（例えば五千円券）のバラ紙幣を、紙幣庫４７は所定の単一の金種（例えば万円券）のバラ紙幣を、紙幣庫４８は金種混合のバラ紙幣を、それぞれ収納する。言い換えれば、紙幣処理機１１には、金種別に複数の紙幣庫４５〜４７が設けられている。紙幣庫４９は、例えば入出金口２１から繰り出され識別部３５で正常と識別された入金確定前のバラ紙幣を金種混合で上下に集積させた状態で貯留する。紙幣庫４８は、単一金種用の紙幣庫４５〜４７では収納しきれないオーバーフロー紙幣および単一金種用の紙幣庫を持たない流通量の少ない所定の金種（例えば二千円券）のバラ紙幣を収納する。
【００４０】
紙幣庫４５には、その内部の紙幣の有無を検知する紙幣有無検知センサ４５ａが設けられており、紙幣庫４６にも同様の紙幣有無検知センサ４６ａが、紙幣庫４７にも同様の紙幣有無検知センサ４７ａが、紙幣庫４８にも同様の紙幣有無検知センサ４８ａが、紙幣庫４９にも同様の紙幣有無検知センサ４９ａが、それぞれ設けられている。
【００４１】
紙幣庫４５の上部には、その内部に紙幣を一枚ずつ繰り出すとともに内部の紙幣を上端のものから一枚ずつ分離して繰り出す繰出部４５ｂが設けられており、紙幣庫４６の上部にも同様の繰出部４６ｂが、紙幣庫４７の上部にも同様の繰出部４７ｂが、紙幣庫４８の上部にも同様の繰出部４８ｂが、紙幣庫４９の上部にも同様の繰出部４９ｂが、それぞれ設けられている。
【００４２】
紙幣庫４５〜４９は、繰出部４５ｂ〜４９ｂの対応するものから一枚ずつ庫内に繰り出された紙幣を上下方向に集積して収納する。ここで、紙幣庫４５〜４７は、紙幣を金種別に収納するとともに、収納している紙幣を一枚ずつ分離して繰り出すものであり、入金された紙幣を収納し収納している紙幣を出金用として繰り出す金種別環流部を構成している。また、紙幣庫４９は、紙幣を一時貯留するとともに一時貯留している紙幣を一枚ずつ分離して繰り出す一時貯留部を構成している。識別部３５は、これら紙幣庫４５〜４９から繰り出された紙幣についても識別する。
【００４３】
紙幣処理機１１の内部には、紙幣を搬送する紙幣搬送路５１が各部を適宜繋ぐように設けられている。紙幣搬送路５１は、入出金口２１と紙幣庫４９とを繋ぐ搬送路５１Ａを有している。搬送路５１Ａは、入出金口２１の繰出部２１ｂから後上がりに延出した後、後下がりに延出し、さらに鉛直下方に延出し、その後、前側に一端延出した後、下方に延出する。搬送路５１Ａは、さらに後方に延出し、途中上側に凸状に屈曲した後、後方に延出して識別部３５を通った後、紙幣処理機１１の後部で下方に延出し、さらに前方に延出して紙幣処理機１１の前部から下方に延出して紙幣庫４９の繰出部４９ｂに繋がっている。
【００４４】
紙幣搬送路５１は、搬送路５１Ａの下部の水平部分の途中から分岐して紙幣庫４５の繰出部４５ｂに繋がる搬送路５１Ｂと、搬送路５１Ａの搬送路５１Ｂよりも紙幣庫４９側から分岐して紙幣庫４６の繰出部４６ｂに繋がる搬送路５１Ｃとを有している。また、紙幣搬送路５１は、搬送路５１Ａの搬送路５１Ｃよりも紙幣庫４９側から分岐して紙幣庫４７の繰出部４７ｂに繋がる搬送路５１Ｄと、搬送路５１Ａの搬送路５１Ｄよりも紙幣庫４９側から分岐して紙幣庫４８の繰出部４８ｂに繋がる搬送路５１Ｅとを有している。さらに、紙幣搬送路５１は、搬送路５１Ａの搬送路５１Ｅよりも紙幣庫４９側から分岐し上方に延出した後に後方に延出して搬送路５１Ａの入出金口２１と識別部３５との間位置に繋がる搬送路５１Ｆとを有している。
【００４５】
紙幣搬送路５１は、搬送路５１Ａの搬送路５１Ｅの分岐位置と搬送路５１Ｆの分岐位置との間位置から分岐し上方に延出して搬送路５１Ｆの途中位置に繋がる搬送路５１Ｇと、搬送路５１Ｆにおける、搬送路５１Ｇの接続位置と、搬送路５１Ａの入出金口２１と識別部３５との間への接続位置との間から分岐し上方に延出した後に前方に延出して入金リジェクト部２６に繋がる搬送路５１Ｈとを有している。また、紙幣搬送路５１は、入出金口２１と識別部３５との間の搬送路５１Ａをバイパスする搬送路５１Ｊと、搬送路５１Ａの入出金口２１と搬送路５１Ｊの接続位置との間位置から後方に分岐して整列部３６に繋がる搬送路５１Ｋとを有している。搬送路５１Ｊは、中間部分が紙幣の表裏を反転させる表裏反転部５３の一部を構成している。
【００４６】
紙幣搬送路５１は、搬送路５１Ｈから分岐して搬送路５１Ａの搬送路５１Ｊの入出金口２１側の接続位置と搬送路５１Ｆの入出金口２１側の接続位置との間に合流する搬送路５１Ｍを有している。紙幣搬送路５１は、さらに、搬送路５１Ａの入出金口２１と搬送路５１Ｊの入出金口２１側の合流位置との間から分岐して搬送路５１Ｈに合流する搬送路５１Ｎを有している。
【００４７】
ここで、上記した搬送路５１Ａ，５１Ｂ，５１Ｃ，５１Ｄ，５１Ｅ，５１Ｆは正逆両方向に紙幣を搬送可能となっており、搬送路５１Ｇ，５１Ｈ，５１Ｊ，５１Ｋ，５１Ｍ，５１Ｎは一方向にのみ紙幣を搬送可能となっている。
【００４８】
搬送路５１Ａの搬送路５１Ｂが分岐する位置には、搬送路５１Ａを識別部３５側から紙幣庫４９に向けて搬送されている紙幣を、そのまま搬送路５１Ａで搬送するルートと搬送路５１Ｂに流すルートとに振り分ける振分部５５Ｂが設けられている。搬送路５１Ａの搬送路５１Ｃが分岐する位置には、搬送路５１Ａを識別部３５側から紙幣庫４９に向けて搬送されている紙幣を、そのまま搬送路５１Ａで搬送するルートと搬送路５１Ｃに流すルートとに振り分ける振分部５５Ｃが設けられている。
【００４９】
搬送路５１Ａの搬送路５１Ｄが分岐する位置には、搬送路５１Ａを識別部３５側から紙幣庫４９に向けて搬送されている紙幣を、そのまま搬送路５１Ａで搬送するルートと搬送路５１Ｄに流すルートとに振り分ける振分部５５Ｄが設けられている。搬送路５１Ａの搬送路５１Ｅが分岐する位置には、搬送路５１Ａを識別部３５側から紙幣庫４９に向けて搬送されている紙幣を、そのまま搬送路５１Ａで搬送するルートと搬送路５１Ｅに流すルートとに振り分ける振分部５５Ｅが設けられている。
【００５０】
搬送路５１Ａの入出金口２１と識別部３５との間にて搬送路５１Ｆが接続する位置には、搬送路５１Ａを識別部３５側から入出金口２１に向けて搬送されている紙幣を、そのまま搬送路５１Ａで搬送するルートと搬送路５１Ｆに流すルートとに振り分ける振分部５５Ｆａが設けられている。搬送路５１Ａの識別部３５と紙幣庫４９との間にて搬送路５１Ｆが接続する位置には、搬送路５１Ａを紙幣庫４９側から識別部３５に向けて搬送されている紙幣を、そのまま搬送路５１Ａで搬送するルートと搬送路５１Ｆに流すルートとに振り分ける振分部５５Ｆｂが設けられている。
【００５１】
搬送路５１Ａの搬送路５１Ｇが分岐する位置には、搬送路５１Ａを識別部３５側から紙幣庫４９に向けて搬送されている紙幣を、そのまま搬送路５１Ａで搬送するルートと搬送路５１Ｇに流すルートとに振り分ける振分部５５Ｇが設けられている。搬送路５１Ｆの搬送路５１Ｈが分岐する位置には、搬送路５１Ｆを紙幣庫４９側から識別部３５に向けて搬送されている紙幣を、そのまま搬送路５１Ｆで搬送するルートと搬送路５１Ｈに流すルートとに振り分ける振分部５５Ｈが設けられている。
【００５２】
搬送路５１Ａの搬送路５１Ｊが分岐する位置には、搬送路５１Ａを識別部３５側から入出金口２１に向けて搬送されている紙幣を、そのまま搬送路５１Ａで搬送するルートと搬送路５１Ｊに流すルートとに振り分ける振分部５５Ｊが設けられている。搬送路５１Ａの搬送路５１Ｋが分岐する位置には、搬送路５１Ａを識別部３５側から入出金口２１に向けて搬送されている紙幣を、そのまま搬送路５１Ａで搬送するルートと搬送路５１Ｋに流すルートとに振り分ける振分部５５Ｋが設けられている。
【００５３】
搬送路５１Ｈの搬送路５１Ｍが分岐する位置には、搬送路５１Ｈを搬送路５１Ｆ側から入金リジェクト口３１に向けて搬送されている紙幣を、そのまま搬送路５１Ｈで搬送するルートと搬送路５１Ｍに流すルートとに振り分ける振分部５５Ｍが設けられている。搬送路５１Ａの搬送路５１Ｎが分岐する位置には、搬送路５１Ａを識別部３５側から入出金口２１に向けて搬送されている紙幣を、そのまま搬送路５１Ａで搬送するルートと搬送路５１Ｎに流すルートとに振り分ける振分部５５Ｎ（振分手段）が設けられている。
【００５４】
表裏反転部５３は、識別部３５側の入口側搬送路５３ａおよび識別部３５とは反対側の出口側搬送路５３ｂを有している。これら入口側搬送路５３ａおよび出口側搬送路５３ｂは、搬送路５１Ｊの中間部分を構成し、逆Ｖ字状をなすように互いに繋がっている。表裏反転部５３は、入口側搬送路５３ａの末端位置に位置する紙幣を前方に押圧して出口側搬送路５３ｂに移動させる羽根車等の図示略の移動機構を有している。
【００５５】
表裏反転部５３は、天地方向の一方向を搬送方向に合わせて搬送路５１Ａを識別部３５から入出金口２１に向けて移動している紙幣を、入口側搬送路５３ａに受け入れて、出口側搬送路５３ｂに受け渡し、出口側搬送路５３ｂで天地方向の前記一方向とは逆の逆方向を搬送方向に合わせて搬送路５１Ａに再び合流させるものである。これにより、表裏反転部５３を通過した紙幣は、表裏反転部５３を通らずに搬送路５１Ａを通って識別部３５から入出金口２１に向けて搬送される場合に対して、表裏および天地が反転する。
【００５６】
振分部５５Ｊは、識別部３５の識別結果から表裏方向の所定の一側が上を向いて搬送されている紙幣を、搬送路５１Ｊをバイパスするようにそのまま搬送路５１Ａへ流し、識別部３５の識別結果から表裏方向の前記一側とは逆の逆側が上を向いて搬送されている紙幣を、搬送路５１Ｊつまり表裏反転部５３へ流す。これにより、搬送路５１Ａの搬送路５１Ｊよりも入出金口２１側を流れる紙幣は表裏が取り揃えられることになる。以上から、表裏反転部５３と、表裏反転部５３の一部を構成する搬送路５１Ｊと、搬送路５１Ｊの両端をバイパスする搬送路５１Ａの通路部５１Ａａと、振分部５５Ｊとが、識別部３５の識別結果に基づいて紙幣の表裏を取り揃える表裏取揃部５８を構成している。
【００５７】
本実施形態においては、後述するバラ紙幣出金処理で紙幣庫４５〜４７から紙幣を出金する際に、識別部３５の識別結果に基づいて表裏取揃部５８で紙幣の表裏を取り揃えることになる。そして、このように表裏が取り揃えられた紙幣を、識別部３５の識別結果に基づいて振分部５５Ｎが、天地が一方向を向く紙幣と天地がこれとは逆の逆方向を向く紙幣とに振り分けて、天地が前記一方向を向く紙幣を、外部から紙幣が投入され投入された紙幣を内部に繰り出し可能な入出金口２１に払い出し、天地が前記逆方向を向く紙幣を、入出金口２１から内部に繰り出された紙幣のうち受け入れ不可な紙幣を払い出す入金リジェクト口３１に払い出すようになっている。なお、天地が一方向を向く紙幣を、紙幣に描かれた人物像の頭部が搬送方向上流側となる紙幣とした場合、天地が逆方向を向く紙幣は、紙幣に描かれた人物像の頭部が搬送方向下流側となる紙幣となる。また、天地が一方向を向く紙幣を、紙幣に描かれた人物像の頭が搬送方向下流側となる紙幣とした場合、天地が逆方向を向く紙幣は、紙幣に描かれた人物像の頭が搬送方向上流側となる紙幣となる。
【００５８】
紙幣処理機１１は、その作動を制御する制御部（割出手段）６０と、識別部３５による紙幣の識別結果に基づく各紙幣の情報等を記憶する記憶部（記憶手段）６１とを有している。記憶部６１には、各紙幣の金種情報、表裏方向情報、天地方向情報、収納先情報および収納順番情報と、紙幣の金種別の入金情報、出金情報等が記憶される。
【００５９】
次に、制御部６０による制御で実行される紙幣処理機１１の各処理を説明する。
【００６０】
「入金処理」
図３の太線は、機外から入出金口２１に投入されたバラ紙幣を搬送しつつ識別計数して一時貯留部としての紙幣庫４９に一時貯留する入金処理のルートを示している。つまり、入出金口２１の載置板２２上にバラ紙幣が集積状態で載置されて、操作部１４に入金処理を行う旨の入力操作がなされると、紙幣処理機１１は、入出金口２１の紙幣を識別部３５で識別した後に紙幣庫４９に一時貯留する入金処理を行う。
【００６１】
具体的には、操作部１４に入金処理の選択操作が入力されると、制御部６０は、シャッタ２４を開く。すると、操作者は、載置板２２上にバラ紙幣を載置させて、操作部１４に入金処理を行う旨の入力操作を入力する。すると、紙幣有無検知センサ２１ａで紙幣が検知されていることを条件に、制御部６０は、シャッタ２４を閉じ、載置板２２、紙幣搬送路５１および繰出部２１ｂ等を駆動する。すると、繰出部２１ｂが入出金口２１の載置板２２上の紙幣を上端のものから順に一枚ずつ分離し所定の間隔をあけて機内に繰り出すことになり、繰り出した紙幣を、図３に太実線で示すように紙幣搬送路５１の搬送路５１Ａで搬送し識別部３５で識別することになる。そして、制御部６０は、識別部３５で正常で受け入れ可能と識別した紙幣（取り扱い金種の紙幣）を、図３に太実線で示すように搬送路５１Ａで紙幣庫４９に搬送する一方、識別部３５で正常と識別されなかった受け入れ不可な紙幣（判別不能紙幣）を、図３に太実線から太破線で示すように、搬送路５１Ａから振分部５５Ｇで搬送路５１Ｇ，５１Ｆに流し、搬送路５１Ｆから振分部５５Ｈで搬送路５１Ｈに流して、入金リジェクト口３１に搬送する。これにより、受け入れ可能な紙幣を紙幣庫４９に一時貯留し、受け入れ不可な紙幣を、待機状態にあってシャッタ３２が閉じられている入金リジェクト口３１に払い出す。
【００６２】
入金処理開始後、紙幣有無検知センサ２１ａが入出金口２１に残留する紙幣がなくなったことを検知し、且つ図示略の搬送路センサが紙幣搬送路５１に紙幣がなくなったことを検知すると、制御部６０は、入金処理を終了する。その際に、入金リジェクト口３１に紙幣があることを紙幣有無検知センサ３１ａが検知すると、制御部６０は、リジェクト口用ランプ３３を点滅させて入金リジェクト口３１に紙幣があることを報知するとともにシャッタ３２を開く。これにより、操作者は、入金リジェクト口３１から紙幣を取り出すことになる。入金リジェクト口３１から紙幣が取り出されたことを紙幣有無検知センサ３１ａが検知すると、制御部６０は、リジェクト口用ランプ３３を消灯させるとともにシャッタ３２を閉じて入金リジェクト口３１を待機状態に戻す。なお、制御部６０は、以上の入金処理において識別部３５で受け入れ可能と判別した紙幣の金種別の枚数情報等を記憶部６１に一時記憶させる。
【００６３】
「収納処理」
図４の太線は、上記した入金処理にて紙幣庫４９に一時貯留した紙幣を、操作部１４への承認操作が入力されたことを条件に、確定して、金種別環流部としての紙幣庫４５〜４７および金種混合収納部としての紙幣庫４８の対応するものに収納する収納処理のルートを示している。
【００６４】
収納処理では、まず、操作部１４へ承認操作が入力されると、紙幣庫４９から紙幣を繰り出し識別部３５で識別して、正常と識別されなかった紙幣を、入出金口２１に貯留しつつ、正常と識別された紙幣を紙幣庫４５〜４８に振り分けて収納する収納作動を行う。
【００６５】
具体的に、収納作動では、繰出部４９ｂが紙幣庫４９の紙幣を上端のものから一枚ずつ分離し所定の間隔をあけて繰り出すことになり、繰り出した紙幣を、図４に太実線で示すように、搬送路５１Ａから振分部５５Ｆｂで搬送路５１Ｆに流し、搬送路５１Ｆの末端から搬送路５１Ａを再び通るルートで識別部３５に搬送する。そして、識別部３５の識別結果に基づいて、正常と識別された紙幣を、振分部５５Ｂ〜５５Ｅおよび搬送路５１Ａ〜５１Ｅの対応するものによって紙幣庫４５〜４８の対応するものに搬送する。これにより、正常と識別された紙幣を紙幣庫４５〜４８の対応するものに収納する。つまり、正常と識別された紙幣のうち、紙幣庫４５に収納されるべき単一金種（例えば千円券）の紙幣を紙幣庫４５に、紙幣庫４６に収納されるべき単一金種（例えば五千円券）の紙幣を紙幣庫４６に、紙幣庫４７に収納されるべき単一金種（例えば万円券）の紙幣を紙幣庫４７に、紙幣庫４８に収納されるべき金種（例えば二千円券および紙幣庫４５〜４７が満杯である場合の満杯金種）の紙幣を紙幣庫４８に収納する。
【００６６】
なお、制御部６０は、識別部３５の識別結果に基づいて、紙幣庫４８に収納するすべての紙幣について、それぞれの金種を収納の順番と関連付けて記憶部６１に記憶する一方、紙幣庫４５〜４７に収納する紙幣については、それぞれの表裏方向および天地方向を収納の順番と関連付けて記憶部６１に記憶する。言い換えれば、記憶部６１は、紙幣庫４５〜４７に収納されている紙幣についての表裏方向および天地方向を記憶する。
【００６７】
具体的に、制御部６０は、この収納処理を含むすべての処理において、紙幣を紙幣庫４５に収納する際には常に、記憶部６１に記憶されている紙幣庫４５に関する収納紙幣の金種を含む情報に対して、取り込んだ紙幣の分を収納枚数に加算するとともに、取り込んだ紙幣に関する表裏方向および天地方向の情報を順に追加記憶する。また、紙幣庫４５から紙幣を繰り出す際には常に、記憶部６１に記憶されている紙幣庫４５に関する収納紙幣の情報に対して、繰り出した紙幣の分を収納枚数から減算するとともに、繰り出した紙幣に関する表裏方向および天地方向の情報を順に削除する。これにより、記憶部６１は、紙幣庫４５に順に収納されているすべての紙幣についての個別の表裏方向および天地方向の情報を記憶している。
【００６８】
同様に、紙幣を紙幣庫４６に収納する際には常に、記憶部６１に記憶されている紙幣庫４６に関する収納紙幣の金種を含む情報に対して、取り込んだ紙幣の分を収納枚数に加算するとともに、取り込んだ紙幣に関する表裏方向および天地方向の情報を順に追加記憶する。また、紙幣庫４６から紙幣を繰り出す際には常に、記憶部６１に記憶されている紙幣庫４６に関する収納紙幣の情報に対して、繰り出した紙幣の分を収納枚数から減算するとともに、繰り出した紙幣に関する表裏方向および天地方向の情報を順に削除する。これにより、記憶部６１は、紙幣庫４６に順に収納されているすべての紙幣についての個別の表裏方向および天地方向の情報を記憶している。
【００６９】
同様に、紙幣を紙幣庫４７に収納する際には常に、記憶部６１に記憶されている紙幣庫４７に関する収納紙幣の金種を含む情報に対して、取り込んだ紙幣の分を収納枚数に加算するとともに、取り込んだ紙幣に関する表裏方向および天地方向の情報を順に追加記憶する。また、紙幣庫４７から紙幣を繰り出す際には常に、記憶部６１に記憶されている紙幣庫４７に関する収納紙幣の情報に対して、繰り出した紙幣の分を収納枚数から減算するとともに、繰り出した紙幣に関する表裏方向および天地方向の情報を順に削除する。これにより、記憶部６１は、紙幣庫４７に順に収納されているすべての紙幣についての個別の表裏方向および天地方向の情報を記憶している。
【００７０】
紙幣を紙幣庫４８に収納する際には常に、記憶部６１に記憶されている紙幣庫４８に関する収納紙幣の情報に対して、取り込んだ紙幣の分をそれぞれの金種の収納枚数に加算するとともに、取り込んだ紙幣に関する金種情報を順に追加記憶する。また、紙幣庫４８から紙幣を繰り出す際には常に、記憶部６１に記憶されている紙幣庫４８に関する収納紙幣の情報に対して、繰り出した紙幣の分をそれぞれの金種の収納枚数から減算するとともに、繰り出した紙幣に関する金種情報を順に削除する。これにより、記憶部６１は、紙幣庫４８に順に収納されているすべての紙幣についての個別の金種情報を記憶している。
【００７１】
ここで、表裏方向とは、例えば収納時の上側が表であるか裏であるかであり、天地方向とは、例えば紙幣庫４５〜４７からの繰り出し時に先に繰り出される側（下流側）が天であるか地であるかである。紙幣の表とは、例えば人物像が描かれている面であり、その場合、紙幣の裏が人物像が描かれていない面となる。紙幣の天側は、例えば人物像の頭側であり、その場合、地側は人物像の頭とは反対側となる。
【００７２】
また、収納作動では、上記の識別部３５による識別で、正常と識別されなかった紙幣を、図４に太実線から太破線で示すように、搬送路５１Ａから振分部５５Ｇで搬送路５１Ｇ，５１Ｆに流し、搬送路５１Ｆから振分部５５Ｈで搬送路５１Ｈに流して、搬送路５１Ｈから振分部５５Ｍで搬送路５１Ｍに流し、再び搬送路５１Ａを通るルートによって、収納作動開始時点では空でありシャッタ２４が閉じられた状態の入出金口２１に搬送し貯留する。なお、紙幣庫４９から識別部３５に向けて搬送路５１Ｆを通る紙幣と、識別部３５による識別で、正常と識別されずに搬送路５１Ｇから搬送路５１Ｆを通る紙幣とが、搬送路５１Ｆの一部ルートを重ね合わせているが、これら紙幣が干渉しないように、正常と識別されずに搬送路５１Ｆを通る紙幣を優先し、この紙幣が搬送路５１Ｆを通る間は、紙幣庫４９から識別部３５に向けての紙幣の繰り出しは中断する。
【００７３】
収納作動開始後、紙幣有無検知センサ４９ａが紙幣庫４９に紙幣がなくなったことを検知し、且つ図示略の搬送路センサが紙幣搬送路５１に紙幣がなくなったことを検知すると、制御部６０は、収納作動を終了する。そして、この収納作動後の時点で、紙幣有無検知センサ２１ａが入出金口２１に貯留する紙幣の有無を検知する。入出金口２１に貯留している紙幣がなければ、収納処理を終了する。他方、入出金口２１に貯留している紙幣があれば、以下の再収納作動を行う。
【００７４】
再収納作動では、まず、入出金口２１に貯留している紙幣をすべて繰り出して搬送路５１Ａで搬送し、識別部３５で識別して、正常と識別された紙幣を、図５に太実線で示すように紙幣庫４５〜４８の対応するものに収納し、正常と識別されなかった収納不可紙幣を、図５に太実線から太破線で示すように紙幣庫４９に貯留する入出金口出収納作動を行う。
【００７５】
具体的に、入出金口出収納作動では、繰出部２１ｂが入出金口２１の載置板２２上の紙幣を上端のものから順に一枚ずつ分離し所定の間隔をあけてすべて繰り出すことになり、繰り出した紙幣を、図５に太実線で示すように搬送路５１Ａで搬送することになる。そして、識別部３５で正常と識別された紙幣を、図５に太実線で示すように振分部５５Ｂ〜５５Ｅおよび搬送路５１Ａ〜５１Ｅの対応するものによって紙幣庫４５〜４８の対応するものに搬送する。これにより、上記した収納作動と同様に、紙幣庫４５〜４８の対応するものに、正常と識別された紙幣を収納する。このときも、制御部６０は、識別部３５の識別結果に基づいて、紙幣庫４８に収納する紙幣については、金種を順に記憶部６１に記憶させる一方、紙幣庫４５〜４７に収納する紙幣については、表裏方向および天地方向を順に記憶部６１に記憶させる。
【００７６】
他方、識別部３５で正常と識別されなかった収納不可紙幣を、図５に太実線から太破線で示すように搬送路５１Ａで、入出金口出収納作動開始時点では空の紙幣庫４９に搬送し、紙幣庫４９に貯留する。
【００７７】
入出金口出収納作動開始後、紙幣有無検知センサ２１ａが入出金口２１に残留する紙幣がなくなったことを検知し、且つ図示略の搬送路センサが紙幣搬送路５１に紙幣がなくなったことを検知すると、入出金口出収納作動を終了する。そして、この入出金口出収納作動後の時点で、紙幣有無検知センサ４９ａが紙幣庫４９に貯留している収納不可紙幣の有無を検知する。紙幣庫４９に貯留している収納不可紙幣がなければ、再収納作動を終了し、収納処理を終了する。他方、紙幣庫４９に貯留している収納不可紙幣があれば、図４に太線で示すように、紙幣庫４９に貯留している収納不可紙幣をすべて繰り出し識別部３５で識別して、正常と識別されなかった収納不可紙幣を入出金口２１に貯留しつつ、正常と識別された紙幣を紙幣庫４５〜４８の対応するものに収納する、再収納作動の一時貯留部出収納作動を行う。
【００７８】
具体的に、一時貯留部出収納作動では、繰出部４９ｂが紙幣庫４９の紙幣を上端のものから一枚ずつ分離し所定の間隔をあけてすべて繰り出すことになり、繰り出した紙幣を、図４に太実線で示すように、搬送路５１Ａから振分部５５Ｆｂで搬送路５１Ｆに流し、その端末から再び搬送路５１Ａを通るルートで識別部３５に搬送する。そして、識別部３５の識別結果に基づいて、正常と識別された紙幣を、図４に太実線で示すように、振分部５５Ｂ〜５５Ｅおよび搬送路５１Ａ〜５１Ｅの対応するものによって紙幣庫４５〜４８の対応するものに搬送する。これにより、上記と同様に、紙幣庫４５〜４８の対応するものに正常と識別された紙幣を収納する。このときも、制御部６０は、識別部３５の識別結果に基づいて、紙幣庫４８に収納する紙幣については、金種を順に記憶部６１に記憶させる一方、紙幣庫４５〜４７に収納する紙幣については、表裏方向および天地方向を順に記憶部６１に記憶させる。
【００７９】
他方、上記の識別部３５による識別で、正常と識別されなかった収納不可紙幣を、図４に太実線から太破線で示すように、搬送路５１Ａから振分部５５Ｇで搬送路５１Ｇ，５１Ｆに流し、搬送路５１Ｆから振分部５５Ｈで搬送路５１Ｈに流し、搬送路５１Ｈから振分部５５Ｍで搬送路５１Ｍに流し、再び搬送路５１Ａを通るルートによって、一時貯留部出収納作動開始時点では空でシャッタ２４が閉じられた状態の入出金口２１に搬送し貯留する。このときも、識別部３５で正常と識別されずに搬送路５１Ｆを通る紙幣を優先し、この紙幣が搬送路５１Ｆを通る間は、紙幣庫４９から識別部３５に向けての紙幣の繰り出しは中断する。
【００８０】
一時貯留部出収納作動開始後、紙幣有無検知センサ４９ａが紙幣庫４９に紙幣がなくなったことを検知し、且つ図示略の搬送路センサが紙幣搬送路５１に紙幣がなくなったことを検知すると、一時貯留部出収納作動を終了する。そして、この一時貯留部出収納作動後の時点で、紙幣有無検知センサ２１ａが入出金口２１に貯留している収納不可紙幣の有無を検知する。入出金口２１に貯留している収納不可紙幣がなければ、再収納作動を終了し、収納処理を終了する。他方、入出金口２１に貯留している収納不可紙幣があれば、図５に示すルートの上記した入出金口出収納作動を行い、この入出金口出収納作動後に紙幣庫４９に貯留している収納不可紙幣があれば、図４に示すルートの一時貯留部出収納作動を行い、以後、同様に、入出金口出収納作動および一時貯留部出収納作動を交互に繰り返す。このように、収納処理の再収納作動では、紙幣庫４５〜４８に収納不可な収納不可紙幣がなくなるまで、言い換えれば、すべての紙幣を紙幣庫４５〜４８の対応するものに収納するまで、入出金口出収納作動および一時貯留部出収納作動を交互に繰り返し行うことになり、収納不可紙幣がなくなると、再収納作動を終了し、収納処理を終了する。
【００８１】
なお、収納処理で再収納作動の対象となる紙幣は、入金処理時に識別部３５で一旦正常と識別されて紙幣庫４９に一時貯留された紙幣であることから、収納処理の識別時に正常と識別されない理由は、いずれも単発要因である、ノイズの影響による識別スキャン不良、識別ポイント箇所のズレによる光学・磁気パターン不一致、繰り出し不良・搬送不良によるニアフィード、繰り出し不良・搬送不良による重送、繰り出し不良・搬送不良による斜行のいずれかである。このため、上記の入出金口出収納作動および一時貯留部出収納作動を交互に繰り返すことで、必ず紙幣は正常と識別されることになる。よって、上記のように、再収納作動では、収納不可紙幣がなくなるまで、入出金口出収納作動および一時貯留部出収納作動を交互に繰り返すようになっている。具体的に、ノイズは、瞬間的なものであるため、再識別で正常な識別が可能となる。また、光学・磁気パターン不一致は、識別部での紙幣スキャン方向が主に影響するので、特に識別部での搬送方向相違に効果があり、再識別で正常な識別が可能となる。ニアフィードおよび重送は再度の分離・繰り出しで解消されるため、再識別で正常な識別が可能となる。斜行は、搬送先での集積で矯正されることになるため、再識別で正常な識別が可能となる。
【００８２】
なお、金種別環流部としての紙幣庫４５〜４７に紙幣を補充する補充処理は、上記した入金処理および収納処理と同様に行われる。
【００８３】
「返却処理」
図６の太線は、入金処理にて紙幣庫４９に一時貯留した紙幣を、操作部１４へのキャンセル操作が入力されたことを条件に、入出金口２１に繰り出す返却処理のルートを示している。つまり、返却処理では、紙幣庫４９の紙幣を上端のものから繰出部４９ｂが繰り出すことになり、繰り出した紙幣を、搬送路５１Ａによって入出金口２１に搬送する。これにより、入出金口２１に紙幣を返却する。返却処理開始後、紙幣有無検知センサ４９ａが紙幣庫４９に紙幣がなくなったことを検知し、且つ図示略の搬送路センサが紙幣搬送路５１に紙幣がなくなったことを検知すると、返却処理を終了する。なお、この返却処理においても、紙幣庫４９から返却する紙幣を、後述するバラ紙幣出金処理と同様に、表裏を表裏取揃部５８で取り揃えた後、振分部５５Ｎで天地方向に応じて入出金口２１と入金リジェクト口３１とに振り分けて返却することが可能である。
【００８４】
「バラ紙幣出金処理」
図７の太線は、操作部１４へ入力されたバラ出金操作に基づいて、金種別環流部としての紙幣庫４５〜４７の指定された金種のものから、指定された所定の金種および枚数の出金紙幣を出金するバラ紙幣出金処理のルートを示している。
【００８５】
紙幣庫４５〜４７から紙幣を繰り出し識別部３５で識別して、正常と識別されなかった紙幣を、図７に太実線から太破線で示すように、紙幣庫４９に貯留しつつ、正常と識別された紙幣を、図７に太実線および太二点鎖線で示すように適宜表裏反転部５３で反転させ、図７に太実線および太一点鎖線で示すように入出金口２１および入金リジェクト口３１に選択的に振り分けて、入出金口２１および入金リジェクト口３１に、指定された所定の金種および枚数の出金紙幣をすべて繰り出す出金作動を行う。
【００８６】
つまり、バラ紙幣出金処理においては、上述したように、紙幣庫４５〜４７から繰り出した紙幣を、識別部３５の識別結果に基づいて表裏取揃部５８で紙幣の表裏を取り揃えた後、識別部３５の識別結果に基づいて振分部５５Ｎが、天地が一方向を向く紙幣と天地がこれとは逆の逆方向を向く紙幣とに振り分けて、天地が一方向を向く紙幣を入出金口２１に払い出し、天地がこれとは逆の逆方向を向く紙幣を入金リジェクト口３１に払い出すようになっている。
【００８７】
このバラ紙幣出金処理において、次の一括出金モードおよび分割出金モードの二つのモードが選択できるようになっている。
【００８８】
一括出金モードでは、一のバラ紙幣出金処理（払い出し処理）で払い出される紙幣が複数金種ある場合に、シャッタ２４，３２を閉じた状態で、金種別の紙幣庫４５〜４７のうちの一の金種の紙幣庫から当該一の金種の払い出し枚数の紙幣を、入出金口２１および入金リジェクト口３１に天地方向に応じて振り分けて払い出した後、この一の金種の紙幣の上に重ねるように、紙幣庫４５〜４７のうちの他の金種の紙幣庫から当該他の金種の払い出し枚数の紙幣を、入出金口２１および入金リジェクト口３１に天地方向に応じて振り分けて払い出すことを適宜繰り返し、出金紙幣がすべて払い出されると、シャッタ２４，３２を開く。
【００８９】
分割出金モードでは、一のバラ紙幣出金処理（払い出し処理）で払い出される紙幣が複数金種ある場合に、シャッタ２４，３２を閉じた状態で、金種別の紙幣庫４５〜４７のうちの一の金種の紙幣庫から当該一の金種の払い出し枚数の紙幣を、入出金口２１および入金リジェクト口３１に天地方向に応じて振り分けて払い出した後、シャッタ２４，３２を開き、紙幣有無検知センサ２１ａが入出金口２１の紙幣なしを検知し紙幣有無検知センサ３１ａが入金リジェクト口３１の紙幣なしを検知すると、シャッタ２４，３２を閉じて、金種別の紙幣庫４５〜４７のうちの他の金種の紙幣庫から当該他の金種の払い出し枚数の紙幣を、入出金口２１および入金リジェクト口３１に天地方向に応じて振り分けて払い出しシャッタ２４，３２を開くことを適宜繰り返す。
【００９０】
一のバラ紙幣出金処理では、まず、操作部１４への操作入力で、バラ紙幣出金処理の選択操作と、出金すべき紙幣の金種別の枚数あるいは出金金額が指定入力され、バラ紙幣出金処理を実行する旨の操作入力がなされる。制御部６０は、出金金額が指定入力された場合には、出金枚数が最小となる組み合わせで出金すべき紙幣の金種別の枚数を算出して指定する。
【００９１】
一括出金モードが選択設定されている場合について説明する。この場合、制御部６０は、一のバラ紙幣出金処理において、出金すべき紙幣の指定の金種別の枚数と、記憶部６１に記憶されている記憶内容である、紙幣庫４５〜４７に収納されている紙幣についての、収納の順の表裏方向および天地方向とから、出金すべき指定の金種別の枚数の紙幣を紙幣庫４５〜４７から繰り出した場合に、表裏取揃部５８で表裏取り揃えられた後の紙幣の天地方向別の全金種合わせた枚数が何枚ずつになるのかを割り出す。
【００９２】
その結果、表裏取揃部５８で表裏取り揃えられた後に天地が所定の第１方向（例えば天側が搬送方向上流側となる方向）を向く紙幣の指定の全金種の合計枚数が、天地が第１方向とは逆の第２方向（例えば天側が搬送方向下流側となる方向）を向く紙幣の指定の全金種の合計枚数よりも多い場合、天地が第１方向を向く紙幣を指定の全金種、容量が大きい入出金口２１に、天地が第２方向を向く紙幣を指定の全金種、容量が小さい入金リジェクト口３１に払い出すことになる。他方、天地が第１方向を向く紙幣の指定の全金種の合計枚数が、天地が第２方向を向く紙幣の指定の全金種の合計枚数よりも少ない場合、天地が第１方向を向く紙幣を指定の全金種、入金リジェクト口３１に、天地が第２方向を向く紙幣を指定の全金種、入出金口２１に払い出す。
【００９３】
ここでは、具体的に、紙幣庫４５〜４７のすべてから紙幣を払い出し、表裏取揃部５８で表裏が取り揃えられた後に天地が第１方向を向く紙幣の枚数が天地が第２方向を向く紙幣よりも多いことが割り出された場合を例にとり説明する。
【００９４】
出金作動では、まず、紙幣庫４５に収納されている紙幣を上端のものから繰出部４５ｂが一枚ずつ分離し所定の間隔をあけて指定枚数分繰り出すことになり、繰り出した紙幣を、図７に太実線で示すように、搬送路５１Ｂと、搬送路５１Ａとで識別部３５に搬送する。そして、識別部３５の識別結果に基づいて振分部５５Ｊが振り分けることによって、正常と識別され表裏反転が必要でない紙幣を、図７に太実線で示すように搬送路５１Ａでそのまま表裏取揃部５８を越える位置まで搬送し、正常と識別され表裏反転が必要な紙幣を、図７に太二点鎖線で示すように搬送路５１Ｊを介して表裏反転部５３で表裏反転させた後、表裏取揃部５８から繰り出させる。
【００９５】
そして、表裏取揃部５８からの紙幣を、識別部３５の識別結果から振分部５５Ｎが振り分けることによって、表裏取揃部５８で表裏が取り揃えられた後に天地が第１方向を向くと判定された紙幣を、そのまま搬送路５１Ａに流して入出金口２１に搬送し、表裏取揃部５８で表裏が取り揃えられた後に天地が第２方向を向くと判定された紙幣を、図７に太一点鎖線で示すように搬送路５１Ａから搬送路５１Ｎに流し、搬送路５１Ｈで入金リジェクト口３１に搬送する。このようにして、紙幣庫４５から出金操作に基づくバラ紙幣を、シャッタ２４が閉じられた状態の入出金口２１およびシャッタ３２が閉じられた状態の入金リジェクト口３１に振り分けて払い出す。
【００９６】
以上により、入出金口２１に繰り出された紙幣庫４５からの紙幣（例えば千円券）は、表裏方向が所定の一方向（例えば上が表）に揃えられ天地方向が所定の第１方向（例えば天側が搬送方向上流側となる方向）に揃えられた状態で、入出金口２１内に集積されることになる。また、入金リジェクト口３１に繰り出された紙幣庫４５からの紙幣（例えば千円券）は、表裏方向が入出金口２１と同じ一方向（例えば上が表）に揃えられ天地方向が第１方向とは逆の第２方向（例えば天側が搬送方向下流側となる方向）に揃えられた状態で、入金リジェクト口３１内に集積されることになる。
【００９７】
なお、制御部６０は、紙幣が紙幣庫４５から繰り出されると繰り出された分の紙幣に関する、記憶部６１に記憶されている情報を削除する。つまり、紙幣庫４５から繰り出された紙幣の枚数分を紙幣庫４５に収納している枚数から減算し、これら紙幣の表裏方向および天地方向の情報を削除する。
【００９８】
図示略の搬送路センサの検出結果から、紙幣庫４５から指定枚数の出金紙幣を入出金口２１および入金リジェクト口３１に振り分けて払い出し、且つ紙幣搬送路５１に紙幣がなくなったことを検知すると、次に、紙幣庫４６に収納されている紙幣を上端のものから繰出部４６ｂが一枚ずつ分離し所定の間隔をあけて指定枚数分繰り出すことになり、上記と同様、識別部３５の識別結果に基づいて振分部５５Ｊが振り分けることによって、正常と識別され表裏反転が必要でない紙幣を、搬送路５１Ａでそのまま表裏取揃部５８を越える位置まで搬送し、正常と識別され表裏反転が必要な紙幣を、搬送路５１Ｊを介して表裏反転部５３で表裏反転させた後、表裏取揃部５８から繰り出させる。
【００９９】
そして、表裏取揃部５８からの紙幣を、識別部３５の識別結果から振分部５５Ｎが振り分けることによって、表裏取揃部５８で表裏が取り揃えられた後に天地が第１方向を向くと判定された紙幣を、そのまま搬送路５１Ａに流して入出金口２１に搬送し、表裏取揃部５８で表裏が取り揃えられた後に天地が第２方向を向くと判定された紙幣を、搬送路５１Ａから搬送路５１Ｎに流し、搬送路５１Ｈで入金リジェクト口３１に搬送する。このようにして、紙幣庫４６から出金操作に基づくバラ紙幣を、シャッタ２４が閉じられた状態の入出金口２１およびシャッタ３２が閉じられた状態の入金リジェクト口３１に振り分けて払い出す。
【０１００】
以上により、入出金口２１に繰り出された紙幣庫４６からの紙幣（例えば五千円券）は、表裏方向が所定の一方向（例えば上が表）に揃えられ天地方向が所定の第１方向（例えば天側が搬送方向上流側となる方向）に揃えられた状態で、入出金口２１内に先に集積されている紙幣庫４５からの紙幣（例えば千円券）の上に集積されることになる。また、入金リジェクト口３１に繰り出された紙幣庫４６からの紙幣（例えば五千円券）は、表裏方向が入出金口２１と同じ一方向（例えば上が表）に揃えられ天地方向が第１方向とは逆の第２方向（例えば天側が搬送方向下流側となる方向）に揃えられた状態で、入金リジェクト口３１内に先に集積されている紙幣庫４５からの紙幣（例えば千円券）の上に集積されることになる。
【０１０１】
このときも、制御部６０は、紙幣が紙幣庫４６から繰り出されると繰り出された分の紙幣に関する、記憶部６１に記憶されている情報を削除する。つまり、紙幣庫４６から繰り出された紙幣の枚数分を紙幣庫４６に収納している枚数から減算し、これら紙幣の表裏方向および天地方向の情報も削除する。
【０１０２】
図示略の搬送路センサの検出結果から、紙幣庫４６から指定枚数の出金紙幣を入出金口２１および入金リジェクト口３１に振り分けて払い出し、且つ紙幣搬送路５１に紙幣がなくなったことを検知すると、次に、紙幣庫４７に収納されている紙幣を上端のものから繰出部４７ｂが一枚ずつ分離し所定の間隔をあけて指定枚数分繰り出すことになり、上記と同様、識別部３５の識別結果に基づいて振分部５５Ｊが振り分けることによって、正常と識別され表裏反転が必要でない紙幣を、搬送路５１Ａでそのまま表裏取揃部５８を越える位置まで搬送し、正常と識別され表裏反転が必要な紙幣を、搬送路５１Ｊを介して表裏反転部５３で表裏反転させた後、表裏取揃部５８から繰り出させる。
【０１０３】
そして、表裏取揃部５８からの紙幣を、識別部３５の識別結果から振分部５５Ｎが振り分けることによって、表裏取揃部５８で表裏が取り揃えられた後に天地が所定の第１方向を向くと判定された紙幣を、そのまま搬送路５１Ａに流して入出金口２１に搬送し、表裏取揃部５８で表裏が取り揃えられた後に天地が第１方向とは逆の第２方向を向くと判定された紙幣を、搬送路５１Ａから搬送路５１Ｎに流し、搬送路５１Ｈで入金リジェクト口３１に搬送する。このようにして、紙幣庫４７から出金操作に基づくバラ紙幣を、シャッタ２４が閉じられた状態の入出金口２１およびシャッタ３２が閉じられた状態の入金リジェクト口３１に振り分けて払い出す。
【０１０４】
以上により、入出金口２１に繰り出された紙幣庫４７からの紙幣（例えば万円券）は、表裏方向が所定の一方向（例えば上が表）に揃えられ天地方向が所定の第１方向（例えば天側が搬送方向上流側となる方向）に揃えられた状態で、入出金口２１内に先に集積されている紙幣庫４６からの紙幣（例えば五千円券）の上に集積されることになる。また、入金リジェクト口３１に繰り出された紙幣庫４７からの紙幣（例えば万円券）は、表裏方向が入出金口２１と同じ一方向（例えば上が表）に揃えられ天地方向が第１方向とは逆の第２方向（例えば天側が搬送方向下流側となる方向）に揃えられた状態で、入金リジェクト口３１内に先に集積されている紙幣庫４６からの紙幣（例えば五千円券）の上に集積されることになる。
【０１０５】
このときも、制御部６０は、紙幣が紙幣庫４７から繰り出されると繰り出された分の紙幣に関する、記憶部６１に記憶されている情報を削除する。つまり、紙幣庫４７から繰り出された紙幣の枚数分を紙幣庫４７に収納している枚数から減算し、これら紙幣の表裏方向および天地方向の情報も削除する。
【０１０６】
なお、以上の出金作動では、上記の識別部３５による識別で、正常と識別されなかった紙幣を、図７に太実線から太破線で示すように、搬送路５１Ａから振分部５５Ｆａで搬送路５１Ｆに流し、再び搬送路５１Ａを通るルートで、出金作動開始時点では空の紙幣庫４９に搬送し、紙幣庫４９に貯留する。
【０１０７】
出金作動開始後、図示略の搬送路センサ等の検出結果から、指定された所定の金種および枚数の出金紙幣をすべて、入出金口２１および入金リジェクト口３１に振り分けて払い出し、且つ紙幣搬送路５１に紙幣がなくなったことを検知すると、制御部６０は、紙幣有無検知センサ２１ａが紙幣を検知している場合には入出金口用ランプ２５を点滅させて入出金口２１に紙幣があることを報知しつつシャッタ２４を開くとともに、紙幣有無検知センサ３１ａが紙幣を検知している場合にはリジェクト口用ランプ３３を点滅させて入金リジェクト口３１に紙幣があることを報知しつつシャッタ３２を開く。つまり、入出金口用ランプ２５およびリジェクト口用ランプ３３は、入出金口２１および入金リジェクト口３１の両方に紙幣を払い出す際に、その旨を、両方が点滅することで報知する。
【０１０８】
すると、操作者は、入出金口２１から、表裏が一方向に取り揃えられ天地が第１方向に取り揃えられて集積されている三金種の紙幣を取り出して金種別に分ける一方、入金リジェクト口３１に、表裏が入出金口２１と同じ一方向に取り揃えられ天地が第１方向に対し逆の第２方向に取り揃えられて集積されている三金種の紙幣を取り出して金種別に分け、それぞれ同じ金種のもの同士を表裏方向および天地方向を揃えて重ね、例えば三金種をすべて重ねることになる。
【０１０９】
一方で、制御部６０は、図示略の搬送路センサ等の検出結果から、指定された所定の金種および枚数の出金紙幣をすべて、入出金口２１および入金リジェクト口３１に振り分けて払い出し、且つ紙幣搬送路５１に紙幣がなくなったことを検知すると、その時点で、計時を開始する。そして、制御部６０は、入出金口２１から紙幣が取り出されて紙幣有無検知センサ２１ａが紙幣を検知しない状態になると、入出金口用ランプ２５を消灯させるとともにシャッタ２４を閉じる。また、入金リジェクト口３１から紙幣が取り出されて紙幣有無検知センサ３１ａが紙幣を検知しない状態になると、リジェクト口用ランプ３３を消灯させるとともにシャッタ３２を閉じる。制御部６０は、紙幣有無検知センサ２１ａ，３１ａの両方が紙幣を検知しない状態になると、計時を終了し、シャッタ２４，３２の両方が閉じられた状態になると、出金作動を終了する。
【０１１０】
他方、上記の計時時間が所定時間を経過すると、つまり、指定された所定の金種および枚数の出金紙幣をすべて入出金口２１および入金リジェクト口３１に振り分けて払い出してから、紙幣有無検知センサ２１ａおよび紙幣有無検知センサ３１ａのうちの少なくともいずれか一方が紙幣ありを検知している状態で所定時間経過すると、制御部６０は、表示部１５に、紙幣の取り忘れを警告する警告表示と入出金口２１および入金リジェクト口３１のうちの紙幣ありを検知しているものの識別とを表示させるとともに、音声出力部１６で紙幣の取り忘れを警告する警告音を発生させる。その後、紙幣有無検知センサ２１ａ，３１ａの両方が紙幣を検知しない状態になると、制御部６０は、計時を終了し、シャッタ２４，３２の両方が閉じられた状態になると、出金作動を終了する。
【０１１１】
上記の出金作動後の時点で、紙幣有無検知センサ４９ａが紙幣庫４９に貯留している紙幣の有無を検知する。紙幣庫４９に貯留している紙幣がなければ、バラ紙幣出金処理を終了する。他方、紙幣庫４９に貯留している紙幣があれば、以下の再収納作動を行う。なお、バラ紙幣出金処理における再収納作動は、入出金口２１および入金リジェクト口３１から紙幣が抜き取られることにより終了する出金作動の終了後に行われることになり、言い換えれば、入出金口２１および入金リジェクト口３１から紙幣が抜き取られていることを条件に行われる。
【０１１２】
再収納作動では、まず、紙幣庫４９に貯留している紙幣をすべて繰り出し識別部３５で識別して、正常と識別されなかった収納不可紙幣を、図８に太実線から太破線で示すように、シャッタ２４が閉じられた状態の入出金口２１に貯留しつつ、正常と識別された紙幣を、図８に太実線で示すように、金種別環流部としての紙幣庫４５〜４７の対応するものに収納する一時貯留部出収納作動を行う。
【０１１３】
具体的に、一時貯留部出収納作動では、繰出部４９ｂが紙幣庫４９の紙幣を上端のものから一枚ずつ分離し所定の間隔をあけてすべて繰り出すことになり、繰り出した紙幣を、図８に太実線で示すように、搬送路５１Ａから振分部５５Ｆｂが搬送路５１Ｆに流し、搬送路５１Ｆの末端から再び搬送路５１Ａを通るルートで識別部３５に搬送する。そして、識別部３５の識別結果に基づいて、正常と識別された紙幣を、図８に太実線で示すように、振分部５５Ｂ〜５５Ｄおよび搬送路５１Ａ〜５１Ｄの対応するものによって紙幣庫４５〜４７の対応するものに搬送する。これにより、紙幣庫４５〜４７の対応するものに正常と識別された紙幣を収納する。このときも、制御部６０は、紙幣庫４５〜４７に収納する紙幣に関する情報を記憶部６１に記憶させる。
【０１１４】
他方、上記の識別部３５による識別で、正常と識別されなかった収納不可紙幣を、図８に太実線から太破線で示すように、搬送路５１Ａから振分部５５Ｇにより搬送路５１Ｇ，５１Ｆに流し、搬送路５１Ｆから振分部５５Ｈが搬送路５１Ｈに流し、搬送路５１Ｈから振分部５５Ｍが搬送路５１Ｍに流し、再び搬送路５１Ａを通るルートによって、一時貯留部出収納作動開始時点では空でシャッタ２４が閉じられた状態の入出金口２１に搬送し貯留する。このときも、識別部３５で正常と識別されずに搬送路５１Ｆを通る紙幣を優先し、この紙幣が搬送路５１Ｆを通る間は、紙幣庫４９から識別部３５に向けての紙幣の繰り出しは中断する。
【０１１５】
一時貯留部出収納作動開始後、紙幣有無検知センサ４９ａが紙幣庫４９に紙幣がなくなったことを検知し、且つ図示略の搬送路センサが紙幣搬送路５１に紙幣がなくなったことを検知すると、一時貯留部出収納作動を終了する。そして、この一時貯留部出収納作動後の時点で、紙幣有無検知センサ２１ａが入出金口２１に貯留している収納不可紙幣の有無を検知する。入出金口２１に貯留している収納不可紙幣がなければ、再収納作動を終了し、バラ紙幣出金処理を終了する。他方、入出金口２１に貯留している収納不可紙幣があれば、入出金口２１に貯留している収納不可紙幣をすべて繰り出し識別部３５で識別して、正常と識別されなかった収納不可紙幣を、図９に太実線から太破線で示すように、紙幣庫４９に貯留しつつ、正常と識別された紙幣を、図９に太実線で示すように、金種別環流部としての紙幣庫４５〜４７の対応するものに収納する、再収納作動の入出金口出収納作動を行う。
【０１１６】
具体的に、入出金口出収納作動では、繰出部２１ｂが入出金口２１の載置板２２上の紙幣を上端のものから順に一枚ずつ分離し所定の間隔をあけてすべて繰り出すことになり、繰り出した紙幣を、図９に太実線で示すように、搬送路５１Ａで搬送することになる。そして、識別部３５で正常と識別された紙幣を、図９に太実線で示すように、振分部５５Ｂ〜５５Ｄおよび搬送路５１Ａ〜５１Ｄの対応するものによって紙幣庫４５〜４７の対応するものに搬送する。これにより、上記と同様に、紙幣庫４５〜４７の対応するものに正常と識別された紙幣を収納する。このときも、制御部６０は、紙幣庫４５〜４７に収納する紙幣に関する情報を記憶部６１に記憶させる。
【０１１７】
他方、識別部３５で正常と識別されなかった収納不可紙幣を、図９に太実線から太破線で示すように、搬送路５１Ａで、入出金口出収納作動開始時点では空の紙幣庫４９に搬送し、紙幣庫４９に貯留する。
【０１１８】
入出金口出収納作動開始後、紙幣有無検知センサ２１ａが入出金口２１に残留する紙幣がなくなったことを検知し、且つ図示略の搬送路センサが紙幣搬送路５１に紙幣がなくなったことを検知すると、入出金口出収納作動を終了する。そして、この入出金口出収納作動後の時点で、紙幣有無検知センサ４９ａが紙幣庫４９に貯留している収納不可紙幣の有無を検知する。紙幣庫４９に貯留している収納不可紙幣がなければ、再収納作動を終了し、バラ紙幣出金処理を終了する。他方、紙幣庫４９に貯留している収納不可紙幣があれば、図８に示すルートの上記した一時貯留部出収納作動を行い、この一時貯留部出収納作動後に入出金口２１に貯留している収納不可紙幣があれば、図９に示すルートの入出金口出収納作動を行い、以後、同様に、一時貯留部出収納作動および入出金口出収納作動を交互に繰り返す。このように、バラ紙幣出金処理における再収納作動では、紙幣庫４５〜４７に収納不可な収納不可紙幣がなくなるまで、言い換えれば、すべての紙幣を紙幣庫４５〜４７の対応するものに収納するまで、一時貯留部出収納作動および入出金口出収納作動を交互に繰り返し行うことになり、収納不可紙幣がなくなると、再収納作動を終了し、バラ紙幣出金処理を終了する。
【０１１９】
なお、バラ紙幣出金処理において再収納作動の対象となる紙幣は、入金処理時および収納処理時に識別部３５で一旦正常と識別されて金種別環流部である紙幣庫４５〜４７に収納されたものであることから、バラ紙幣出金処理の識別時に正常と識別されない理由は、上記した収納処理と同様である。このため、上記の入出金口出収納作動および一時貯留部出収納作動を交互に繰り返すことで、紙幣は必ず正常と識別されることになる。
【０１２０】
次に、分割出金モードが選択設定されている場合について一括出金モードとの相違部分を中心に説明する。
【０１２１】
分割出金モードが選択設定されている場合、制御部６０は、一のバラ紙幣出金処理において出金すべき紙幣の指定の金種別の枚数と、記憶部６１に記憶されている記憶内容である、紙幣庫４５に収納されている紙幣についての収納の順の表裏方向および天地方向とから、出金すべき指定の枚数の紙幣を紙幣庫４５から繰り出した場合に、表裏取揃部５８で表裏取り揃えられた後の紙幣の天地方向別の枚数が何枚ずつになるのかと、出金すべき指定の枚数の紙幣を紙幣庫４６から繰り出した場合に、表裏取揃部５８で表裏取り揃えられた後の紙幣の天地方向別の枚数が何枚ずつになるのかと、出金すべき指定の枚数の紙幣を紙幣庫４７から繰り出した場合に、表裏取揃部５８で表裏取り揃えられた後の紙幣の天地方向別の何枚ずつになるのかとを割り出す。
【０１２２】
その結果、紙幣庫４５から繰り出す紙幣があって、そのうち、表裏取揃部５８で表裏取り揃えられた後に天地が所定の第１方向（例えば天側が搬送方向上流側となる方向）を向く紙幣の枚数が、天地が第１方向とは逆の第２方向（例えば天側が搬送方向下流側となる方向）を向く紙幣の枚数よりも多い場合、天地が第１方向を向く紙幣を入出金口２１に、天地が第２方向を向く紙幣を入金リジェクト口３１に、それぞれ払い出すことになる。他方、天地が第１方向を向く紙幣の枚数が、天地が第２方向を向く紙幣の枚数よりも少ない場合、天地が第１方向を向く紙幣を入金リジェクト口３１に、天地が第２方向を向く紙幣を入出金口２１に、それぞれ払い出す。そして、紙幣の取り出しを待機する。
【０１２３】
紙幣庫４６から繰り出す紙幣があって、そのうち、表裏取揃部５８で表裏取り揃えられた後に天地が第１方向を向く紙幣の枚数が、天地が第２方向を向く紙幣の枚数よりも多い場合、天地が第１方向を向く紙幣を入出金口２１に、天地が第２方向を向く紙幣を入金リジェクト口３１に、それぞれ払い出すことになる。他方、天地が第１方向を向く紙幣の枚数が、天地が第２方向を向く紙幣の枚数よりも少ない場合、天地が第１方向を向く紙幣を入金リジェクト口３１に、天地が第２方向を向く紙幣を入出金口２１に、それぞれ払い出す。そして、紙幣の取り出しを待機する。
【０１２４】
紙幣庫４７から繰り出す紙幣があって、そのうち、表裏取揃部５８で表裏取り揃えられた後に天地が第１方向を向く紙幣の枚数が、天地が第２方向を向く紙幣の枚数よりも多い場合、天地が第１方向を向く紙幣を入出金口２１に、天地が第２方向を向く紙幣を入金リジェクト口３１に、それぞれ払い出すことになる。他方、天地が第１方向を向く紙幣の枚数が、天地が第２方向を向く紙幣の枚数よりも少ない場合、天地が第１方向を向く紙幣を入金リジェクト口３１に、天地が第２方向を向く紙幣を入出金口２１に、それぞれ払い出す。そして、紙幣の取り出しを待機する。
【０１２５】
具体的に、紙幣庫４５〜４７のすべてから紙幣を払い出し、すべての金種について、表裏取揃部５８での表裏取り揃え後に天地が第１方向を向く紙幣の枚数が、天地が第２方向を向く紙幣の枚数よりも多いと割り出された場合を例にとり説明する。
【０１２６】
出金作動では、制御部６０は、紙幣庫４５から、一括出金モードと同様にして、指定枚数の出金紙幣を入出金口２１および入金リジェクト口３１に振り分けて払い出すことになる。すると、入出金口２１には、紙幣庫４５の金種の紙幣（例えば千円券）が、表裏が所定の一方向（例えば上が表）に取り揃えられ天地が第１方向（例えば天側が搬送方向上流側となる方向）に取り揃えられて集積され、入金リジェクト口３１には、紙幣庫４５の金種の紙幣（例えば千円券）が、表裏が入出金口２１と同じ一方向（例えば上が表）に取り揃えられ天地が第２方向（例えば天側が搬送方向下流側となる方向）に取り揃えられて集積されることになる。
【０１２７】
そして、制御部６０は、図示略の搬送路センサの検出結果から、紙幣庫４５から指定枚数の出金紙幣を入出金口２１および入金リジェクト口３１に振り分けて払い出し、且つ紙幣搬送路５１に紙幣がなくなったことを検知すると、紙幣有無検知センサ２１ａが紙幣を検知している場合には入出金口用ランプ２５を点滅させて入出金口２１に紙幣があることを報知するとともにシャッタ２４を開き、紙幣有無検知センサ３１ａが紙幣を検知しているとリジェクト口用ランプ３３を点滅させて入金リジェクト口３１に紙幣があることを報知するとともにシャッタ３２を開く。つまり、入出金口用ランプ２５およびリジェクト口用ランプ３３は、入出金口２１および入金リジェクト口３１の両方に紙幣を払い出す際に、その旨を、両方が点滅することで報知する。
【０１２８】
すると、操作者は、入出金口２１から、表裏が一方向に取り揃えられ天地が第１方向に取り揃えられて集積されている紙幣庫４５の金種の紙幣（例えば千円券）を取り出し、入金リジェクト口３１から、表裏が入出金口２１と同じ一方向に取り揃えられ天地が第２方向に取り揃えられて集積されている紙幣庫４５の金種の紙幣（例えば千円券）を取り出して、表裏方向および天地方向を揃えて重ねる。
【０１２９】
一方、制御部６０は、図示略の搬送路センサ等の検出結果から、紙幣庫４５から指定枚数の出金紙幣をすべて入出金口２１および入金リジェクト口３１に振り分けて払い出し、且つ紙幣搬送路５１に紙幣がなくなったことを検知すると、その時点で計時を開始する。そして、制御部６０は、入出金口２１から紙幣が取り出されて紙幣有無検知センサ２１ａが紙幣を検知しない状態になると、入出金口用ランプ２５を消灯させるとともにシャッタ２４を閉じる。また、入金リジェクト口３１から紙幣が取り出されて紙幣有無検知センサ３１ａが紙幣を検知しない状態になると、リジェクト口用ランプ３３を消灯させるとともにシャッタ３２を閉じる。制御部６０は、紙幣有無検知センサ２１ａ，３１ａの両方が紙幣を検知しない状態になると、計時を終了し、シャッタ２４，３２の両方が閉じられた状態になると、紙幣庫４５からの出金作動を終了する。
【０１３０】
他方、上記の計時時間が所定時間を経過すると、つまり、紙幣庫４５から指定枚数の出金紙幣をすべて、入出金口２１および入金リジェクト口３１に振り分けて払い出してから、紙幣有無検知センサ２１ａおよび紙幣有無検知センサ３１ａのうちの少なくともいずれか一方が紙幣ありを検知している状態で所定時間経過すると、制御部６０は、表示部１５に、紙幣の取り忘れを警告する警告表示と、入出金口２１および入金リジェクト口３１のうちの紙幣ありを検知しているものの識別とを表示させるとともに、音声出力部１６で紙幣の取り忘れを警告する警告音を発生させる。その後、紙幣有無検知センサ２１ａ，３１ａの両方が紙幣を検知しない状態になると、制御部６０は、計時を終了し、シャッタ２４，３２の両方が閉じられた状態になると、紙幣庫４５からの出金作動を終了する。
【０１３１】
紙幣庫４５からの出金作動を終了すると、制御部６０は、紙幣庫４６から、指定枚数の出金紙幣を入出金口２１および入金リジェクト口３１に振り分けて払い出すことになる。すると、入出金口２１には、紙幣庫４６の金種の紙幣（例えば五千円券）が、表裏が所定の一方向（例えば上が表）に取り揃えられ天地が第１方向（例えば天側が搬送方向上流側となる方向）に取り揃えられて集積され、入金リジェクト口３１には、紙幣庫４６の金種の紙幣（例えば五千円券）が、表裏が入出金口２１と同じ一方向（例えば上が表）に取り揃えられ天地が第２方向（例えば天側が搬送方向下流側となる方向）に取り揃えられて集積されることになる。
【０１３２】
そして、制御部６０は、図示略の搬送路センサの検出結果から、紙幣庫４６から指定枚数の出金紙幣を入出金口２１および入金リジェクト口３１に振り分けて払い出し、且つ紙幣搬送路５１に紙幣がなくなったことを検知すると、紙幣有無検知センサ２１ａが紙幣を検知している場合には入出金口用ランプ２５を点滅させるとともにシャッタ２４を開き、紙幣有無検知センサ３１ａが紙幣を検知している場合にはリジェクト口用ランプ３３を点滅させるとともにシャッタ３２を開く。
【０１３３】
すると、操作者は、入出金口２１から、表裏が一方向に取り揃えられ天地が第１方向に取り揃えられて集積されている紙幣庫４６の金種の紙幣（例えば五千円券）を取り出し、入金リジェクト口３１に、表裏が入出金口２１と同じ一方向に取り揃えられ天地が第２方向に取り揃えられて集積されている紙幣庫４６の金種の紙幣（例えば五千円券）を取り出して、表裏方向および天地方向を揃えて重ねる。
【０１３４】
一方、制御部６０は、図示略の搬送路センサ等の検出結果から、紙幣庫４６から指定枚数の出金紙幣をすべて入出金口２１および入金リジェクト口３１に振り分けて払い出し、且つ紙幣搬送路５１に紙幣がなくなったことを検知すると、その時点で計時を開始する。そして、制御部６０は、紙幣有無検知センサ２１ａが紙幣を検知しない状態になると、入出金口用ランプ２５を消灯させるとともにシャッタ２４を閉じる。また、紙幣有無検知センサ３１ａが紙幣を検知しない状態になると、リジェクト口用ランプ３３を消灯させるとともにシャッタ３２を閉じる。制御部６０は、紙幣有無検知センサ２１ａ，３１ａの両方が紙幣を検知しない状態になると、計時を終了し、シャッタ２４，３２の両方が閉じられた状態になると、紙幣庫４６からの出金作動を終了する。
【０１３５】
他方、上記の計時時間が所定時間を経過すると、つまり、紙幣庫４６から指定枚数の出金紙幣をすべて、入出金口２１および入金リジェクト口３１に振り分けて払い出してから、紙幣有無検知センサ２１ａおよび紙幣有無検知センサ３１ａのうちの少なくともいずれか一方が紙幣ありを検知している状態で所定時間経過すると、制御部６０は、表示部１５に、紙幣の取り忘れを警告する警告表示と、入出金口２１および入金リジェクト口３１のうちの紙幣ありを検知しているものの識別とを表示させるとともに、音声出力部１６で紙幣の取り忘れを警告する警告音を発生させる。その後、紙幣有無検知センサ２１ａ，３１ａの両方が紙幣を検知しない状態になると、制御部６０は、計時を終了し、シャッタ２４，３２の両方が閉じられた状態になると、紙幣庫４６からの出金作動を終了する。
【０１３６】
紙幣庫４６からの出金作動を終了すると、制御部６０は、紙幣庫４７から、指定枚数の出金紙幣を入出金口２１および入金リジェクト口３１に振り分けて払い出すことになる。すると、入出金口２１には、紙幣庫４７の金種の紙幣（例えば万円券）が、表裏が所定の一方向（例えば上が表）に取り揃えられ天地が第１方向（例えば天側が搬送方向上流側となる方向）に取り揃えられて集積され、入金リジェクト口３１には、紙幣庫４７の金種の紙幣（例えば万円券）が、表裏が入出金口２１と同じ一方向（例えば上が表）に取り揃えられ天地が第２方向（例えば天側が搬送方向下流側となる方向）に取り揃えられて集積されることになる。
【０１３７】
そして、制御部６０は、図示略の搬送路センサの検出結果から、紙幣庫４７から指定枚数の出金紙幣を入出金口２１および入金リジェクト口３１に振り分けて払い出し、且つ紙幣搬送路５１に紙幣がなくなったことを検知すると、紙幣有無検知センサ２１ａが紙幣を検知している場合には入出金口用ランプ２５を点滅させるとともにシャッタ２４を開き、紙幣有無検知センサ３１ａが紙幣を検知しているとリジェクト口用ランプ３３を点滅させるとともにシャッタ３２を開く。
【０１３８】
すると、操作者は、入出金口２１から、表裏が一方向に取り揃えられ天地が第１方向に取り揃えられて集積されている紙幣庫４７の金種の紙幣（例えば万円券）を取り出し、入金リジェクト口３１に、表裏が入出金口２１と同じ一方向に取り揃えられ天地が第２方向に取り揃えられて集積されている紙幣庫４７の金種の紙幣（例えば万円券）を取り出して、天地方向を揃えて重ねる。
【０１３９】
一方、制御部６０は、図示略の搬送路センサ等の検出結果から、紙幣庫４７から指定枚数の出金紙幣をすべて入出金口２１および入金リジェクト口３１に振り分けて払い出し、且つ紙幣搬送路５１に紙幣がなくなったことを検知すると、その時点で計時を開始する。そして、制御部６０は、入出金口２１から紙幣が取り出されて紙幣有無検知センサ２１ａが紙幣を検知しない状態になると、入出金口用ランプ２５を消灯させるとともにシャッタ２４を閉じる。また、入金リジェクト口３１から紙幣が取り出されて紙幣有無検知センサ３１ａが紙幣を検知しない状態になると、リジェクト口用ランプ３３を消灯させるとともにシャッタ３２を閉じる。制御部６０は、紙幣有無検知センサ２１ａ，３１ａの両方が紙幣を検知しない状態になると、計時を終了し、シャッタ２４，３２の両方が閉じられた状態になると、紙幣庫４７からの出金作動を終了する。
【０１４０】
他方、上記の計時時間が所定時間を経過すると、つまり、紙幣庫４７から、指定枚数の出金紙幣をすべて、入出金口２１および入金リジェクト口３１に振り分けて払い出してから、紙幣有無検知センサ２１ａおよび紙幣有無検知センサ３１ａのうちの少なくともいずれか一方が紙幣ありを検知している状態で所定時間経過すると、制御部６０は、表示部１５に、紙幣の取り忘れを警告する警告表示と、入出金口２１および入金リジェクト口３１のうちの紙幣ありを検知しているものの識別とを表示させるとともに、音声出力部１６で紙幣の取り忘れを警告する警告音を発生させる。その後、紙幣有無検知センサ２１ａ，３１ａの両方が紙幣を検知しない状態になると、制御部６０は、計時を終了し、シャッタ２４，３２の両方が閉じられた状態になると、紙幣庫４７からの出金作動を終了する。
【０１４１】
なお、入出金口２１および入金リジェクト口３１に振り分けて払い出す紙幣の天地の方向は、上記のように想定される払い出し枚数に応じて設定するのではなく、予め規定の方向に設定されていても良い。つまり、入出金口２１には、表裏取揃部５８で表裏が取り揃えられた後に天地が所定の第１方向（例えば天側が搬送方向上流側となる方向）を向く紙幣を、入金リジェクト口３１には、表裏取揃部５８で表裏が取り揃えられた後に天地が所定の第２方向（例えば天側が搬送方向下流側となる方向）を向く紙幣を払い出す設定としたり、表裏取揃部５８で表裏が取り揃えられた後に天地が前記第２方向を向く紙幣を、入金リジェクト口３１には、表裏取揃部５８で表裏が取り揃えられた後に天地が前記第１方向を向く紙幣を払い出す設定としたり、これらを選択して設定するようにしたりできる。
【０１４２】
「束出金処理」
図１０の太線は、操作部１４へ入力された束出金操作に基づいて、金種別環流部としての紙幣庫４５、紙幣庫４６および紙幣庫４７の指定された金種のものからの紙幣を結束して出金する束出金処理のルートを示している。束出金処理では、バラ紙幣出金処理の出金作動で入出金口２１に繰り出していた紙幣の搬送先を整列部３６としている。
【０１４３】
束出金処理では、まず、金種別環流部としての紙幣庫４５〜４７から紙幣を繰り出し識別部３５で識別して、正常と識別されなかった紙幣を、図１０に太実線から太破線で示すように紙幣庫４９に貯留しつつ、正常と識別された紙幣を図１０に太実線および太二点鎖線で示すように適宜表裏反転部５３を通過させて整列部３６へ繰り出して、整列部３６に指定された所定の金種および枚数の出金紙幣を繰り出す出金作動と、出金紙幣を結束し出金する結束作動とを行う。
【０１４４】
具体的に、出金作動では、紙幣庫４５〜４７の指定された金種のものに収納されている紙幣を上端のものから繰出部４５ｂ〜４７ｂの対応するものが一枚ずつ分離し所定の間隔をあけて繰り出すことになり、繰り出した紙幣を、図１０に太実線で示すように、搬送路５１Ｂ〜５１Ｄの対応するものと搬送路５１Ａとで識別部３５に搬送する。そして、識別部３５の識別結果に基づいて、正常と識別された紙幣を、表裏反転が必要ないものは、図１０に太実線で示すように振分部５５Ｊ，５５Ｋが搬送路５１Ａ，５１Ｋで整列部３６に搬送する。他方、表裏反転が必要なものは、図１０に太二点鎖線で示すように振分部５５Ｊが搬送路５１Ｊに流し表裏反転部５３で表裏反転させた後、振分部５５Ｋが搬送路５１Ｋで整列部３６に搬送する。これにより、指定された単一金種の紙幣を結束単位枚数だけ整列部３６に繰り出す。そして、結束作動によって、整列部３６の集積紙幣を、移送部３７で結束部３９に搬送し、結束部３９で結束を行い、束出金部４１に繰り出す。このような処理を指定された金種毎に指定された束数分行うことになる。指定された金種および束数の小束紙幣を束出金部４１に繰り出すと、制御部６０は、束出金部用ランプ４３を点滅させるとともにシャッタ４２を開く。そして、小束紙幣有無検知センサ４１ａで束出金部４１から小束紙幣がすべて取り出されたことを検知すると、束出金部用ランプ４３を消灯させるとともにシャッタ４２を閉じる。
【０１４５】
また、出金作動では、上記の識別部３５による識別で、正常と識別されなかった紙幣を、図１０に太実線から太破線で示すように、搬送路５１Ａから搬送路５１Ｆを通り、再び搬送路５１Ａを通るルートで、出金作動開始時点では空の紙幣庫４９に搬送し、紙幣庫４９に貯留する。
【０１４６】
出金作動開始後、指定された所定の金種および枚数の出金紙幣を整列部３６に繰り出したことが確認されると、出金作動を終了する。そして、この出金作動後の時点で、紙幣有無検知センサ４９ａが紙幣庫４９に貯留している紙幣の有無を検知する。紙幣庫４９に貯留している紙幣がなければ、束出金処理を終了する。他方、紙幣庫４９に貯留している紙幣があれば、バラ紙幣出金処理と同様に、紙幣庫４５〜４７に収納不可な収納不可紙幣がなくなるまで、言い換えれば、すべての紙幣を紙幣庫４５〜４７の対応するものに収納するまで、図８に示すルートの一時貯留部出収納作動および図９に示すルートの入出金口出収納作動を交互に繰り返し行う再収納作動を実行することになり、収納不可紙幣がなくなると、再収納作動を終了し、結束作動が終了していることを条件に、束出金処理を終了する。
【０１４７】
なお、束出金処理で再収納作動の対象となる紙幣も、入金処理時および収納処理時に識別部３５で一旦正常と識別されて金種別環流部である紙幣庫４５〜４７に収納されたものであることから、束出金処理の識別時に正常と識別されない理由は、上記した収納処理と同様である。このため、上記の入出金口出収納作動および一時貯留部出収納作動を交互に繰り返すことで、紙幣は必ず正常と識別されることになる。
【０１４８】
以上の束出金処理において、表裏に加えて天地を取り揃えて小束紙幣とすることも可能である。この場合、制御部６０は、例えば紙幣庫４５に収納されている紙幣を出金する際に、記憶部６１に記憶されている記憶内容である、紙幣庫４５に収納されている紙幣についての収納順の表裏方向および天地方向から、束出金処理において、表裏に加えて天地を取り揃えて小束紙幣とした場合に、指定された出金束数を作成するために必要な紙幣庫４５から繰り出す紙幣の枚数が少なくて済む紙幣の天地方向を割り出す。
【０１４９】
そして、記憶部６１に記憶されてい記憶内容から、表裏取揃部５８で表裏が取り揃えられた後の天地が所定の第１方向（例えば天側が搬送方向上流側となる方向）を向く紙幣を結束した方が、天地が第２方向（例えば天側が搬送方向下流側となる方向）を向く紙幣を結束するよりも紙幣庫４５から繰り出す紙幣の枚数が少ないと判断した場合、識別部３５による識別結果に基づいて、天地が第１方向を向く紙幣を図１０に太実線および太二点鎖線で示すように整列部３６に、天地が第２方向を向く紙幣を図１０に太実線、太二点鎖線および太一点鎖線で示すように入出金口２１に振り分けて搬送する。一方、表裏取揃部５８で表裏が取り揃えられた後の天地が第２方向を向く紙幣を結束した方が、天地が第１方向を向く紙幣を結束するよりも紙幣庫４５から繰り出す紙幣の枚数が少ないと判断した場合、天地が第２方向を向く紙幣を図１０に太実線および太二点鎖線で示すように整列部３６に、天地が第１方向を向く紙幣を図１０に太実線、太二点鎖線および太一点鎖線で示すように入出金口２１に搬送する。そして、整列部３６に搬送した紙幣を、上記と同様に結束して束出金部４１に繰り出す。
【０１５０】
なお、このとき入出金口２１に搬送した紙幣については、束出金処理後に、図９に太線で示すルートの入出金口出収納作動で、基本的には紙幣庫４５に戻す。その際にも、制御部６０は、紙幣庫４５に収納する紙幣についての表裏方向および天地方向を記憶部６１に記憶させる。
【０１５１】
上記と同様にして、紙幣庫４６に収納されている紙幣を、表裏に加えて天地を取り揃えて小束紙幣として束出金部４１から出金したり、紙幣庫４７に収納されている紙幣を、表裏に加えて天地を取り揃えて小束紙幣として束出金部４１から出金したりすることができる。
【０１５２】
「自己精査処理」
自己精査処理は、紙幣庫４５〜４８のうちの指定されたもの（全指定も含む）について、在り高を検出する処理であり、図１１の太線は、操作部１４へ入力された自己精査処理操作に基づいて、紙幣庫４５〜４８の対応するものに収納している紙幣を、一旦すべて紙幣庫４９に貯留する自己精査処理の往路ルートを、図１２の太線は、紙幣庫４９に一旦貯留した紙幣を、紙幣庫４５〜４８の元のものに戻す自己精査処理の復路ルートを、それぞれ示している。なお、本実施形態では、紙幣庫４５〜４８のうちの複数が精査対象庫として指定された場合には、個別に自己精査処理を行う。つまり、一番目の精査対象庫について自己精査処理を行い、これが終了すると二番目の精査対象庫について自己精査処理を行う、という処理を、指定された全部の精査対象庫について順次行う。
【０１５３】
自己精査処理では、紙幣庫４５〜４８のうちの一の精査対象庫から紙幣を繰り出し識別部３５で識別して、正常と識別されなかった紙幣を、図１１に太実線から太破線で示すように、シャッタ２４が閉状態にある入出金口２１に貯留しつつ、正常と識別された紙幣を、図１１に太実線で示すように、紙幣庫４９に貯留する往路精査作動と、その後、紙幣庫４９に貯留している紙幣を繰り出し識別部３５で識別して、正常と識別されなかった紙幣を、図１２に太実線から太破線で示すように、シャッタ２４が閉状態にある入出金口２１に貯留しつつ、正常と識別された紙幣を、図１２に太実線で示すように、紙幣庫４５〜４８のうちの前記一の精査対象庫に収納する復路精査作動とからなる精査作動を行う。
【０１５４】
具体的に、精査作動の往路精査作動では、紙幣庫４５〜４８のうちの設定された前記一の精査対象庫に収納されている紙幣を上端のものから繰出部４５ｂ〜４８ｂの対応するものが繰り出すことになり、繰り出した紙幣を、図１１に太実線で示すように、搬送路５１Ｂ〜５１Ｅの対応するものと搬送路５１Ａとで識別部３５に搬送する。そして、識別部３５の識別結果に基づいて、正常と識別された紙幣を、図１１に太実線で示すように、搬送路５１Ａから振分部５５Ｆａが搬送路５１Ｆに流し、再び搬送路５１Ａを介して紙幣庫４９に搬送する。これにより、紙幣庫４５〜４８のうちの前記一の精査対象庫に収納されていた紙幣のうち正常と識別された紙幣がすべて紙幣庫４９に貯留される。
【０１５５】
他方、往路精査作動の識別部３５による識別で、正常と識別されなかった紙幣を、図１１に太実線から太破線で示すように、搬送路５１Ａを通るルートによって、精査作動開始時点では空でシャッタ２４が閉じられた状態の入出金口２１に搬送し貯留する。
【０１５６】
往路精査作動開始後、紙幣有無検知センサ４５ａ〜４８ａのうちの前記一の精査対象庫に設けられたものが紙幣庫４５〜４８のうちの一の精査対象庫に紙幣がなくなったことを検知し、且つ図示略の搬送路センサが紙幣搬送路５１に紙幣がなくなったことを検知すると、往路精査作動を終了する。そして、引き続き復路精査作動を行う。
【０１５７】
復路精査作動では、上記したように紙幣庫４９に一旦移した紙幣を、図１２に太実線で示すように、搬送路５１Ａから振分部５５Ｆｂが搬送路５１Ｆに流し、搬送路５１Ｆの末端から再び搬送路５１Ａを通るルートによって、識別部３５に搬送する。そして、識別部３５の識別結果に基づいて、正常と識別された紙幣を、図１２に太実線で示すように、振分部５５Ｂ〜５５Ｅおよび搬送路５１Ａ〜５１Ｅの対応するものによって、紙幣庫４５〜４８のうちの対応する前記一の精査対象庫に収納する。
【０１５８】
他方、復路精査作動の識別部３５による識別で、正常と識別されなかった紙幣を、図１２に太実線から太破線で示すように、搬送路５１Ａから振分部５５Ｇが搬送路５１Ｇ，５１Ｆに流し、搬送路５１Ｆから振分部５５Ｈが搬送路５１Ｈに流し、搬送路５１Ｈから振分部５５Ｍが搬送路５１Ｍに流し、再び搬送路５１Ａを通るルートによって、シャッタ２４が閉じられた状態の入出金口２１に搬送し貯留する。このときも、識別部３５で正常と識別されずに搬送路５１Ｆを通る紙幣を優先し、この紙幣が搬送路５１Ｆを通る間は、紙幣庫４９から識別部３５に向けての紙幣の繰り出しは中断する。
【０１５９】
復路精査作動開始後、紙幣有無検知センサ４９ａが紙幣庫４９に紙幣がなくなったことを検知し、且つ図示略の搬送路センサが紙幣搬送路５１に紙幣がなくなったことを検知すると、復路精査作動、つまり往路精査作動と復路精査作動とからなる精査作動を終了する。そして、この精査作動後の時点で、紙幣有無検知センサ２１ａが入出金口２１に貯留している紙幣の有無を検知する。入出金口２１に貯留している紙幣がなければ、前記一の精査対象庫についての自己精査処理を終了する。他方、入出金口２１に貯留している紙幣があれば、入出金口２１に貯留している紙幣をすべて繰り出し識別部３５で識別して、正常と識別されなかった収納不可紙幣を、図５に太実線から太破線で示すように、紙幣庫４９に貯留しつつ、正常と識別された紙幣を、図５に太実線で示すように、紙幣庫４５〜４８のうちの対応する前記一の精査対象庫に収納する、再収納作動の入出金口出収納作動と、紙幣庫４９に貯留している紙幣をすべて繰り出し識別部３５で識別して、正常と識別されなかった収納不可紙幣を、図４に太実線から太破線で示すように、入出金口２１に貯留しつつ、正常と識別された紙幣を、図４に太実線で示すように、紙幣庫４５〜４８のうちの対応する前記一の精査対象庫に収納する、再収納作動の一時貯留部出収納作動とを、紙幣庫４５〜４８に収納不可な収納不可紙幣がなくなるまで交互に繰り返す。そして、収納不可紙幣がなくなると、再収納作動を終了し、自己精査処理を終了する。
【０１６０】
以上の自己精査処理により、識別部３５の計数結果と、紙幣庫４５〜４８の自己精査処理を行った前記一の精査対象庫に収納された紙幣の枚数とが一致することになる。自己精査処理を、紙幣庫４５〜４８のうちの複数（全部も含む）について行う場合には、上記の精査作動および再収納作動を一連の作動として行う自己精査処理を、紙幣庫４５〜４８のうちの設定されたものを一の精査対象庫として、それぞれ個別に行うことになる。つまり、紙幣庫４５〜４８のうちの複数（全部も含む）について自己精査処理を行う場合に、精査作動および再収納作動を一連の作動とし、この一連の作動を金種毎に行うようにする。言い換えれば、一金種の精査作動が完結しない限り、次の金種に移行しない。
【０１６１】
なお、自己精査処理で再収納作動の対象となる紙幣も、入金処理時および収納処理時に識別部３５で一旦正常と識別されて紙幣庫４５〜４８に収納されたものであることから、自己精査処理の識別時に正常と識別されない理由は、上記した収納処理と同様である。このため、上記の入出金口出収納作動および一時貯留部出収納作動を交互に繰り返すことで、紙幣は必ず正常と識別されることになる。
【０１６２】
以上の自己精査処理においても、制御部６０は、紙幣庫４５〜４８のそれぞれに収納する紙幣についての表裏方向および天地方向を記憶部６１に記憶させる。
【０１６３】
「ローカル整理処理」
図１３の太線は、機外から入出金口２１に投入されたバラ紙幣を搬送しつつ識別計数するローカル整理処理の往路ルートを示している。つまり、入出金口２１の載置板２２上にバラ紙幣が載置されて、操作部１４にローカル整理処理を行う旨の入力操作が金種指定とともになされると、繰出部２１ｂが入出金口２１の載置板２２上の紙幣を上端のものから順に一枚ずつ分離し所定の間隔をあけて繰り出すことになり、繰り出した紙幣を、図１３に太実線で示すように、搬送路５１Ａで搬送することになる。搬送路５１Ａでの搬送中に識別部３５が紙幣を識別計数することになり、識別部３５で指定金種と判定した紙幣を、搬送路５１Ａで紙幣庫４９に搬送する一方、識別部３５で指定金種以外と判定した紙幣を、図１３に太実線から太破線で示すように、搬送路５１Ａから振分部５５Ｇ，５５Ｈにより搬送路５１Ｇ，５１Ｆ，５１Ｈに流して入金リジェクト口３１に搬送する。これにより、指定金種の紙幣を紙幣庫４９に一時貯留し、指定金種以外の紙幣を入金リジェクト口３１に放出する。
【０１６４】
図１４の太線は、ローカル整理処理の復路ルートを示している。上記したように紙幣庫４９に一旦収納した紙幣を、上端のものから繰出部４９ｂが繰り出すことになり、繰り出した紙幣を、図１４の太実線で示すように、振分部５５Ｆｂにより搬送路５１Ａで識別部３５に搬送し、識別部３５の識別結果に基づいて、表裏反転が必要でないものは、図１４の太実線で示すように振分部５５Ｊ，５１Ｋにより搬送路５１Ａ，５１Ｋで整列部３６に、表裏反転が必要なものは、図１４の太二点鎖線で示すように振分部５５Ｊにより搬送路５１Ｊに流して表裏反転部５３で表裏反転させた後、搬送路５１Ａから振分部５５Ｋが搬送路５１Ｋに流して整列部３６に、それぞれ搬送する。このようにして、指定された単一金種の紙幣を結束単位枚数だけ整列部３６に繰り出す。そして、整列部３６の集積紙幣を、移送部３７で結束部３９に搬送し、結束部３９で結束を行い、束出金部４１に繰り出す。このような処理を結束単位枚数が整列部３６に集積される限り繰り返す。なお、結束単位枚数に満たない、端数紙幣が整列部３６に集積された場合にも、これを結束し端数紙幣であることを示す識別をつけて束出金部４１に繰り出す。なお、ローカル整理処理にて識別部３５で重送等と識別した紙幣については、図１４に太実線から太破線で示すように、振分部５５Ｎが搬送路５１Ａから搬送路５１Ｈに流して入金リジェクト口３１に搬送し、入金リジェクト口３１に放出する。ローカル整理処理の終了時に、制御部６０は、紙幣有無検知センサ３１ａが紙幣を検知しているとリジェクト口用ランプ３３を点滅させて入金リジェクト口３１に紙幣があることを報知するとともにシャッタ３２を開く。
【０１６５】
このローカル整理処理においても、表裏に加えて天地を取り揃えて小束紙幣とすることも可能である。この場合、制御部６０は、図１３に太線で示すローカル整理処理の往路ルートで紙幣庫４９に一旦収納した紙幣を、図１４に太線で示すローカル整理処理の復路ルートの表裏取揃部５８を越える位置まで、上記と同様に搬送する。そして、表裏取揃部５８で表裏の取り揃えを行った後、識別部３５の識別結果に基づいて、天地が第１方向（例えば天側が搬送方向上流側となる方向）を向く紙幣を図１４に太実線で示すように整列部３６に搬送して、結束部３９で結束を行い、束出金部４１に繰り出す。一方、表裏取揃部５８で表裏が取り揃えられた後に、天地が第２方向（例えば天側が搬送方向下流側となる方向）を向く紙幣を図１４に太実線から太一点鎖線で示すように、一旦入出金口２１に搬送する。このようにして、紙幣庫４９の紙幣のうち、表裏の取り揃え後、天地が第１方向を向く紙幣のみを集めて、上記と同様に結束を行う。
【０１６６】
次に、入出金口２１に搬送した紙幣を、図３に太線で示すルートの入金処理と同様にして、紙幣庫４９に戻す。その後、紙幣庫４９に戻された紙幣つまり天地が第２方向を向く紙幣を、図１４に太実線で示すように整列部３６に搬送して結束部３９で結束を行い、束出金部４１に繰り出す。なお、このときは、紙幣を表裏反転部５３に搬送することはなくなる。
【０１６７】
以上に述べた本実施形態の紙幣処理機によれば、紙幣庫４５〜４７から繰り出された紙幣を識別部３５で識別し、この識別結果に基づいて表裏取揃部５８が紙幣の表裏を取り揃えることになる。そして、表裏取り揃え後の紙幣を、振分部５５Ｎが、識別部３５の識別結果に基づいて天地が一方向を向く紙幣と天地がこれとは逆の逆方向を向く紙幣とに振り分ける。よって、表裏が取り揃えられて天地が一方向を向く紙幣と、表裏が取り揃えられて天地がこれとは逆の逆方向を向く紙幣とを分けて払い出すことが可能となる。これにより、操作者は、天地が一方向を向く紙幣を取り出し、天地がこれとは逆の逆方向を向く紙幣を取り出して、これらの天地を揃えるという容易な作業で、払い出された全ての紙幣の表裏および天地を取り揃えることができる。しかも、表裏取揃部５８で表裏を取り揃えた後の紙幣を、振分部５５Ｎによって天地が一方向を向く紙幣と天地がこれとは逆の逆方向を向く紙幣とに振り分けるようにすれば良いことから、コストの増大および大型化を抑制することが可能となる。
【０１６８】
また、表裏取揃部５８で表裏が取り揃えられた紙幣を、振分部５５Ｎが、識別部３５の識別結果に基づいて天地が一方向を向く紙幣を入出金口２１に、天地がこれとは逆の逆方向を向く紙幣を入金リジェクト口３１に振り分ける。よって、表裏が取り揃えられて天地が一方向を向く紙幣を入出金口２１に、表裏が取り揃えられて天地が逆方向を向く紙幣を入金リジェクト口３１に分けて払い出すことができる。したがって、一つの払出口に払い出す場合のように、天地が一方向を向く紙幣と天地が逆方向を向く紙幣とを時間差を設けて払い出す必要がなくなる。したがって、払い出しに時間差を設けるための機構が不要となり、コストの増大および大型化をさらに抑制できる。
【０１６９】
また、天地が一方向を向く紙幣の払い出し先が入出金口２１であり、天地がこれとは逆の逆方向を向く紙幣の払い出し先が入金リジェクト口３１であるため、入出金可能な紙幣処理機において、天地が一方向を向く紙幣の払い出し先と天地が逆方向を向く紙幣の払い出し先とがいずれも天地取り揃えのためだけの専用部分にならずに済む。したがって、入出金可能な紙幣処理機１１において、コストの増大および大型化を抑制することが可能となる。
【０１７０】
また、記憶部６１の記憶内容に基づいて、制御部６０が、一の払い出し処理であるバラ紙幣出金処理において紙幣庫４５〜４７から払い出されるべき紙幣の表裏取揃部５８で表裏が取り揃えられた後の天地方向別の枚数を割り出すと、この割り出し結果から、振分部５５Ｎが、枚数が多い一の天地方向の紙幣を容量が多い入出金口２１に、枚数が少ない他の天地方向の紙幣を容量が少ない入金リジェクト口３１に、振り分けることになる。よって、満杯になり易い容量が少ない入金リジェクト口３１が満杯になることを抑制でき、効率の良い払い出しが可能となる。
【０１７１】
また、一の払い出し処理であるバラ紙幣出金処理で払い出される紙幣が複数金種ある場合に、紙幣庫４５から当該紙幣庫４５の金種の払い出し枚数の紙幣を入出金口２１および入金リジェクト口３１に振り分けて払い出した後、その上に重ねるように、紙幣庫４６から当該紙幣庫４６の金種の払い出し枚数の紙幣を入出金口２１および入金リジェクト口３１に振り分けて払い出し、その上に重ねるように、紙幣庫４７から当該紙幣庫４７の金種の払い出し枚数の紙幣を入出金口２１および入金リジェクト口３１に振り分けて払い出すことになる。これにより、入出金口２１および入金リジェクト口３１のそれぞれに複数金種が金種毎に纏められた状態で払い出されることになる。よって、操作者は、入出金口２１および入金リジェクト口３１から取り出した紙幣をそれぞれ容易に金種別に分けることができ、このように金種別に分けた紙幣の天地を金種別に取り揃えることになる。したがって、複数金種払い出す場合であっても、操作者は、比較的容易に紙幣を金種別に分けて表裏および天地を取り揃えることができる。
【０１７２】
また、一の払い出し処理であるバラ紙幣出金処理で払い出される紙幣が複数金種ある場合に、紙幣庫４５から当該紙幣庫４５の金種の払い出し枚数の紙幣を入出金口２１および入金リジェクト口３１に振り分けて払い出した後、紙幣有無検知センサ２１ａ，３１ａが入出金口２１の紙幣なしおよび入金リジェクト口３１の紙幣なしを検知すると、紙幣庫４６から当該紙幣庫４６の金種の払い出し枚数の紙幣を入出金口２１および入金リジェクト口３１に振り分けて払い出すことになる。次に、紙幣有無検知センサ２１ａ，３１ａが入出金口２１の紙幣なしおよび入金リジェクト口３１の紙幣なしを検知すると、紙幣庫４７から当該紙幣庫４７の金種の払い出し枚数の紙幣を入出金口２１および入金リジェクト口３１に振り分けて払い出すことになる。よって、操作者は、入出金口２１および入金リジェクト口３１から紙幣庫４５の金種の紙幣を取り出して天地を取り揃えた後に、入出金口２１および入金リジェクト口３１から紙幣庫４６の金種の紙幣を取り出して天地を取り揃え、入出金口２１および入金リジェクト口３１から紙幣庫４７の金種の紙幣を取り出して天地を取り揃えるというように、金種毎に区切って表裏および天地を取り揃えることができる。したがって、複数金種払い出す場合であっても、操作者は、さらに容易に紙幣を金種別に分けて表裏および天地を取り揃えることができる。
【０１７３】
また、入出金口２１および入金リジェクト口３１の両方に紙幣を払い出す場合に、入出金口用ランプ２５およびリジェクト口用ランプ３３がその旨を報知するため、操作者による紙幣の取り忘れを抑制することができる。
【０１７４】
また、入出金口２１および入金リジェクト口３１に紙幣を払い出した後に、紙幣有無検知センサ２１ａおよび紙幣有無検知センサ３１ａのうちの少なくともいずれか一方が紙幣ありを検知している状態で所定時間経過すると、表示部１５および音声出力部１６が紙幣の取り忘れを警告するため、操作者による紙幣の取り忘れを防止することができる。
【０１７５】
なお、入出金口２１および入金リジェクト口３１のそれぞれに対して、払い出す紙幣の天地の方向を予め設定しておいても良い。このようにすれば、天地の方向を目視確認しなくても紙幣の表裏および天地を取り揃えることが容易に可能となり、手作業による取り揃えの作業性を向上させることができる。
【０１７６】
また、天地方向が一方向の紙幣と、これとは逆の逆方向の紙幣とを入出金口２１および入金リジェクト口３１に振り分けて払い出すのではなく、振分部５５Ｎで振り分けられた天地方向が前記一方向の紙幣を所定の払出口に払い出すとともに、天地方向が前記逆方向の紙幣を別途の一時貯留部に貯留させて、天地方向が前記一方向の紙幣の払出口への払い出し後に、タイミングを遅らせて天地方向が前記逆方向の紙幣を一時貯留部から払出口に払い出すようにしても良い。このように構成すれば、共通の払出口に、天地方向が前記一方向の紙幣を纏めて払い出した後に、天地方向が前記逆方向の紙幣を纏めて払い出すことができる。
【符号の説明】
【０１７７】
１１  紙幣処理機
２１  入出金口（払出口，第１払出口および第２払出口のうちの容量が多い一方）
２１ａ  紙幣有無検知センサ（紙幣検知手段）
２５  入出金口用ランプ（報知手段）
３１  入金リジェクト口（払出口，第１払出口および第２払出口のうちの容量が少ない他方）
３１ａ  紙幣有無検知センサ（紙幣検知手段）
３３  リジェクト口用ランプ（報知手段）
３５  識別部
４５〜４７  紙幣庫（収納部）
５５Ｎ  振分部（振分手段）
５８  表裏取揃部
６０  制御部（割出手段）
６１  記憶部（記憶手段）
【図１】
2015041133.tif 000003
【図２】
2015041133.tif 000004
【図３】
2015041133.tif 000005
【図４】
2015041133.tif 000006
【図５】
2015041133.tif 000007
【図６】
2015041133.tif 000008
【図７】
2015041133.tif 000009
【図８】
2015041133.tif 000010
【図９】
2015041133.tif 000011
【図１０】
2015041133.tif 000012
【図１１】
2015041133.tif 000013
【図１２】
2015041133.tif 000014
【図１３】
2015041133.tif 000015
【図１４】
2015041133.tif 000016